(57)【要約】  ローミングシナリオにおいて、UEによって要求されるサービスはVPLMNおよびHPLMNによって共同で選択された適切なネットワークスライスインスタンスによって提供される必要があるという問題を解決するために、ネットワークスライス選択方法および装置が開示される。方法は、VPLMNの第1のSSFデバイスにより、第1のサービス要求メッセージを受信するステップと、第1のSSFデバイスにより、第1のサービス要求メッセージに従ってUEのローミング情報を取得するステップと、第1のSSFデバイスにより、UEのローミング情報に基づきUEに対してVPLMNにおいて第1のネットワークスライスインスタンスを選択するステップと、第1のSSFデバイスにより、ネットワークスライス選択要求をHPLMNの第2のSSFデバイスに送信して、UEに対してHPLMNにおいて第2のネットワークスライスインスタンスを選択することを第2のSSFデバイスに要求するステップと、を含む。第1のSSFデバイスは、UEに対してVPLMNにおいて第1のネットワークスライスインスタンスを選択し、第2のSSFデバイスは、UEに対してHPLMNにおいて第2のネットワークスライスインスタンスを選択して、UEに対してサービスを共同で提供し、それにより、ユーザの使用経験を改善する。
2019526977.tif 000002
【特許請求の範囲】
【請求項１】
ネットワークスライス選択方法であって、
訪問先公衆陸上移動体ネットワークVPLMNの第1のスライス選択機能SSFデバイスにより、第1のサービス要求メッセージを受信するステップと、
前記第1のSSFデバイスにより、前記第1のサービス要求メッセージに従ってユーザ機器UEのローミング情報を取得するステップと、
前記第1のSSFデバイスにより、前記UEの前記ローミング情報に基づき前記UEに対して前記VPLMNにおいて第1のネットワークスライスインスタンスを選択するステップと、
を含むネットワークスライス選択方法。
【請求項２】
前記UEの前記ローミング情報は、前記UEがローミング加入者であることを示す指示情報、および/または前記UEのホーム公衆陸上移動体ネットワーク識別子HPLMN IDを含む請求項1に記載の方法。
【請求項３】
前記第1のSSFデバイスにより、前記UEの前記ローミング情報に基づき前記UEに対して前記VPLMNにおいて第1のネットワークスライスインスタンスを選択する前記ステップは、
前記第1のSSFデバイスにより、前記UEの前記ローミング情報に基づき前記UEに対して前記VPLMNにおいて前記第1のネットワークスライスインスタンスのスライスタイプを決定するステップを含む請求項1または2に記載の方法。
【請求項４】
前記第1のSSFデバイスにより、前記UEの前記ローミング情報に基づき前記UEに対して前記VPLMNにおいて第1のネットワークスライスインスタンスを選択する前記ステップは、
前記第1のSSFデバイスにより、前記UEの前記ローミング情報に基づき前記UEに対して前記VPLMNにおいて前記第1のネットワークスライスインスタンスを決定するステップ、または
前記第1のSSFデバイスにより、前記UEの前記ローミング情報に基づき前記UEに対して前記VPLMNにおいて前記第1のネットワークスライスインスタンスおよび前記第1のネットワークスライスインスタンスにおけるネットワーク機能を決定するステップ
を含む請求項1または2に記載の方法。
【請求項５】
前記第1のネットワークスライスインスタンスにおける前記ネットワーク機能は、
移動性管理MM機能および/または第1のセッション管理SM機能を含む請求項4に記載の方法。
【請求項６】
前記第1のSSFデバイスにより、前記UEの前記ローミング情報に基づき前記UEに対して前記VPLMNにおいて第1のネットワークスライスインスタンスを選択する前記ステップの後に、前記方法は、
前記第1のSSFデバイスにより、ネットワークスライス選択要求をホーム公衆陸上移動体ネットワークHPLMNの第2のSSFデバイスに送信するステップであって、前記ネットワークスライス選択要求は、前記UEに対して前記HPLMNにおいて第2のネットワークスライスインスタンスを選択することを前記HPLMNの前記第2のSSFデバイスに要求するために使用される、ステップと、
前記第1のSSFデバイスにより、前記第2のSSFデバイスからスライス選択応答メッセージを受信するステップであって、前記スライス選択応答メッセージは、前記第2のネットワークスライスインスタンスに関する情報を含み、前記第2のネットワークスライスインスタンスに関する前記情報は、第2のSM機能をアドレス指定し、前記第2のSM機能と相互作用してセッション接続を確立することを前記第1のネットワークスライスインスタンスにおける第1のSM機能に命令するために使用される、ステップと、
をさらに含む請求項1、2、または5のいずれか一項に記載の方法。
【請求項７】
前記ネットワークスライス選択要求は、前記第1のネットワークスライスインスタンスのスライスタイプを含む請求項6に記載の方法。
【請求項８】
前記ネットワークスライス選択要求は、訪問先公衆陸上移動体ネットワーク識別子VPLMN IDをさらに含む請求項6または7に記載の方法。
【請求項９】
前記第2のネットワークスライスインスタンスに関する前記情報は、
前記第2のネットワークスライスインスタンスのスライスタイプおよび/または前記第2のネットワークスライスインスタンスのIDおよび/または前記第2のネットワークスライスインスタンスの前記第2のSM機能の識別子を含む請求項6に記載の方法。
【請求項１０】
ネットワークスライス選択方法であって、
ホーム公衆陸上移動体ネットワークHPLMNの第2のスライス選択機能SSFデバイスにより、ネットワークスライス選択要求を受信するステップであって、前記ネットワークスライス選択要求は、ユーザ機器UEの訪問先ネットワークに関する情報を搬送する、ステップと、
前記ネットワークスライス選択要求を受信した後に、前記第2のSSFデバイスにより、前記UEの前記訪問先ネットワークに関する前記情報に基づき前記UEに対して前記HPLMNにおいて第2のネットワークスライスインスタンスを選択するステップと、
前記第2のSSFデバイスにより、スライス選択応答メッセージを送信するステップであって、前記スライス選択応答メッセージは、前記第2のネットワークスライスインスタンスに関する情報を含む、ステップと、
を含むネットワークスライス選択方法。
【請求項１１】
前記訪問先ネットワークに関する前記情報は、
第1のネットワークスライスインスタンスのスライスタイプおよび/または訪問先公衆陸上移動体ネットワーク識別子VPLMN IDを含む請求項10に記載の方法。
【請求項１２】
前記第2のSSFデバイスにより、前記UEの前記訪問先ネットワークに関する前記情報に基づき前記UEに対して前記HPLMNにおいて第2のネットワークスライスインスタンスを選択する前記ステップは、
前記第2のSSFデバイスにより、前記UEのローミング情報に基づき前記HPLMNにおいて前記UEに対して前記第2のネットワークスライスインスタンスのスライスタイプを決定するステップを含む請求項10または11に記載の方法。
【請求項１３】
前記第2のSSFデバイスにより、前記UEの前記訪問先ネットワークに関する前記情報に基づき前記UEに対して前記HPLMNにおいて第2のネットワークスライスインスタンスを選択する前記ステップは、
前記第2のSSFデバイスにより、前記UEの前記訪問先ネットワークに関する前記情報に基づき前記UEに対して前記HPLMNにおいて前記第2のネットワークスライスインスタンスを決定するステップ、または
前記第2のSSFデバイスにより、前記UEの前記訪問先ネットワークに関する前記情報に基づき前記HPLMNにおいて前記UEに対して前記第2のネットワークスライスインスタンスおよび前記第2のネットワークスライスインスタンスにおけるネットワーク機能を決定するステップ
を含む請求項10または11に記載の方法。
【請求項１４】
前記第2のネットワークスライスインスタンスにおける前記ネットワーク機能は、
第2のセッション管理SM機能を含む請求項13に記載の方法。
【請求項１５】
HPLMNの第2のSSFデバイスにより、ネットワークスライス選択要求を受信する前記ステップは、
前記HPLMNの前記第2のSSFデバイスにより、前記ネットワークスライス選択要求を訪問先公衆陸上移動体ネットワークVPLMNの第1のSSFデバイスから受信するステップを含む請求項10に記載の方法。
【請求項１６】
HPLMNの第2のSSFデバイスにより、ネットワークスライス選択要求を受信する前記ステップは、
前記HPLMNの前記第2のSSFデバイスにより、前記ネットワークスライス選択要求を第1のネットワークスライスインスタンスの第1のSM機能から受信するステップを含む請求項10に記載の方法。
【請求項１７】
ネットワークスライス選択方法であって、
訪問先公衆陸上移動体ネットワークVPLMNの第1のセッション管理SM機能により、第2のサービス要求メッセージを受信するステップであって、前記第2のサービス要求メッセージは、第1のサービスを要求し、前記第1のサービスに対するセッション接続を確立することを前記第1のSM機能に命令するために使用される、ステップと、
前記第1のSM機能により、ネットワークスライス選択要求をホーム公衆陸上移動体ネットワークHPLMNの第2のスライス選択機能SSFデバイスに送信するステップであって、前記ネットワークスライス選択要求は、ユーザ機器UEに対して前記HPLMNにおいて第2のネットワークスライスインスタンスを選択することを前記第2のSSFデバイスに命令するために使用される、ステップと、
前記第1のSM機能により、前記第2のSSFデバイスからスライス選択応答メッセージを受信するステップであって、前記スライス選択応答メッセージは、前記第2のネットワークスライスインスタンスに関する情報を含む、ステップと、
を含むネットワークスライス選択方法。
【請求項１８】
前記ネットワークスライス選択要求は、第1のネットワークスライスインスタンスのIDおよび/または前記第1のネットワークスライスインスタンスにおける前記第1のSM機能の識別子を含み、前記第1のネットワークスライスインスタンスの前記IDおよび/または前記第1のネットワークスライスインスタンスにおける前記第1のSM機能の前記識別子は、前記第1のSM機能をアドレス指定し、前記第1のSM機能と相互作用してセッション接続を確立することを前記第2のネットワークスライスインスタンスにおける第2のSM機能に命令するために使用される請求項17に記載の方法。
【請求項１９】
ネットワークスライス選択装置であって、
第1のサービス要求メッセージを受信するように構成された第1の受信ユニットと、
前記第1のサービス要求メッセージに従ってユーザ機器UEのローミング情報を取得し、前記UEの前記ローミング情報に基づき前記UEに対して訪問先公衆陸上移動体ネットワークVPLMNにおいて第1のネットワークスライスインスタンスを選択するように構成された第1の処理ユニットと、
を含むネットワークスライス選択装置。
【請求項２０】
前記第1の処理ユニットは、具体的には、
前記UEの前記ローミング情報に基づき前記UEに対して前記VPLMNにおいて前記第1のネットワークスライスインスタンスのスライスタイプを決定するように構成された請求項19に記載の装置。
【請求項２１】
前記第1の処理ユニットは、具体的には、
前記UEの前記ローミング情報に基づき前記UEに対して前記VPLMNにおいて前記第1のネットワークスライスインスタンスを決定するか、または
前記UEの前記ローミング情報に基づき前記UEに対して前記VPLMNにおいて前記第1のネットワークスライスインスタンスおよび前記第1のネットワークスライスインスタンスにおけるネットワーク機能を決定する
ように構成された請求項19に記載の装置。
【請求項２２】
前記装置は、
ネットワークスライス選択要求をホーム公衆陸上移動体ネットワークHPLMNの第2のスライス選択機能SSFデバイスに送信するように構成された第1の送信ユニットであって、前記ネットワークスライス選択要求は、前記UEに対して前記HPLMNにおいて第2のネットワークスライスインスタンスを選択することを前記HPLMNの前記第2のSSFデバイスに要求するために使用される、第1の送信ユニットをさらに含み、
前記第1の受信ユニットは、前記第2のSSFデバイスからスライス選択応答メッセージを受信するようにさらに構成され、前記スライス選択応答メッセージは、前記第2のネットワークスライスインスタンスに関する情報を含み、前記第2のネットワークスライスインスタンスに関する前記情報は、第2のセッション管理SM機能をアドレス指定し、前記第2のSM機能と相互作用してセッション接続を確立することを前記第1のネットワークスライスインスタンスにおける第1のSM機能に命令するために使用される請求項19に記載の装置。
【請求項２３】
ネットワークスライス選択装置であって、
ネットワークスライス選択要求を受信するように構成された第2の受信ユニットであって、前記ネットワークスライス選択要求は、ユーザ機器UEの訪問先ネットワークに関する情報を搬送する、第2の受信ユニットと、
前記第2の受信ユニットが前記ネットワークスライス選択要求を受信した後に、前記UEの前記訪問先ネットワークに関する前記情報に基づき前記UEに対してホーム公衆陸上移動体ネットワークHPLMNにおいて第2のネットワークスライスインスタンスを選択するように構成された第2の処理ユニットと、
スライス選択応答メッセージを送信するように構成された第2の送信ユニットであって、前記スライス選択応答メッセージは、前記第2のネットワークスライスインスタンスに関する情報を含む、第2の送信ユニットと、
を含むネットワークスライス選択装置。
【請求項２４】
前記第2の処理ユニットは、具体的には、
前記第2の受信ユニットにより、前記UEの前記訪問先ネットワークに関する前記情報に基づき前記UEに対して前記HPLMNにおいて前記第2のネットワークスライスインスタンスのスライスタイプを決定するように構成された請求項23に記載の装置。
【請求項２５】
前記第2の処理ユニットは、具体的には、
前記第2の受信ユニットにより、前記UEの前記訪問先ネットワークに関する前記情報に基づき前記UEに対して前記HPLMNにおいて前記第2のネットワークスライスインスタンスを決定するか、または
前記UEの前記訪問先ネットワークに関する前記情報に基づき前記HPLMNにおいて前記UEに対して前記第2のネットワークスライスインスタンスおよび前記第2のネットワークスライスインスタンスにおけるネットワーク機能を決定する
ように構成された請求項23に記載の装置。
【請求項２６】
前記第2の受信ユニットは、具体的には、
訪問先公衆陸上移動体ネットワークVPLMNの第1のスライス選択機能SSFデバイスから前記ネットワークスライス選択要求を受信するように構成された請求項23に記載の装置。
【請求項２７】
前記第2の受信ユニットは、具体的には、
前記ネットワークスライス選択要求を第1のネットワークスライスインスタンスの第1のセッション管理SM機能から受信するようにさらに構成された請求項23に記載の装置。
【請求項２８】
ネットワークスライスインスタンス選択装置であって、
第2のサービス要求メッセージを受信するように構成された第3の受信ユニットであって、前記第2のサービス要求メッセージは、第1のサービスを要求し、前記第1のサービスに対するセッション接続を確立することを第1のセッション管理SM機能に命令するために使用される、第3の受信ユニットと、
ネットワークスライス選択要求をホーム公衆陸上移動体ネットワークHPLMNの第2のスライス選択機能SSFデバイスに送信するように構成された第3の送信ユニットであって、前記ネットワークスライス選択要求は、ユーザ機器UEに対して前記HPLMNにおいて第2のネットワークスライスインスタンスを選択することを前記第2のSSFデバイスに命令するために使用される、第3の送信ユニットと、を含み、
前記第3の受信ユニットは、前記第2のSSFデバイスからスライス選択応答メッセージを受信するようにさらに構成され、前記スライス選択応答メッセージは、前記第2のネットワークスライスインスタンスに関する情報を含むネットワークスライスインスタンス選択装置。
【発明の詳細な説明】
【技術分野】
【０００１】
本発明は、通信技術の分野、詳細には、ネットワークスライス選択方法および装置に関する。
【背景技術】
【０００２】
ネットワークスライス技術は、物理的ネットワークを複数のネットワークスライスインスタンスに分割する。各ネットワークスライスインスタンスにおいて、ネットワーク機能はカスタマイズされ、あつらえられ、対応するネットワーク機能は、サービスシナリオ要求条件に基づき組織化され、管理される。ネットワークおよび管理がカスタマイズされ、それによって、消費者および企業の各サービスのカスタマイズされた要求条件がよりよく満たされ、複数のサービスが比較的独立して実現され、一方、当該サービスが1つのブロードバンドネットワークインフラストラクチャを共有する。カスタマイズされた要求条件は、カバレッジ、持続時間、容量、速度、遅延時間、信頼度、セキュリティ、可用性、および同様のものを含む。各ネットワークスライスインスタンスは、コアネットワークアーキテクチャと考えられ得る。ネットワークスライスインスタンスは、モバイルブロードバンド、マルチメディア、大規模マシンタイプ通信、およびクリティカルマシンタイプ通信に適用され得る。
【０００３】
従来技術において、同じ公衆陸上移動体ネットワーク(Public Land Mobile Network、PLMN)内で、ユーザ機器(User Equipment、UE)は、1つのみのネットワークスライスインスタンスにアクセスしてもよく、または複数のネットワークスライスインスタンスにアクセスし、複数のネットワークスライスインスタンスによって提供される異なるサービスを同時に使用してもよい。ホーム経路設定(home routed)ローミングシナリオにおいて、UEが訪問先公衆陸上移動体ネットワーク(Visited Public Land Mobile Network、VPLMN)にローミングするとき、UEによって要求されるサービスは、VPLMNとホーム公衆陸上移動体ネットワーク(Home Public Land Mobile Network、HPLMN)によって共同で提供される必要がある。ネットワークスライス技術がサポートされるシナリオにおいて、UEによって要求されるサービスは、VPLMNとHPLMNの2つのスライスインスタンスによって共同で提供される必要がある。
【０００４】
UEがローミングし、ネットワークスライス技術がサポートされるシナリオにおいて、ネットワークスライス選択方法が提供される必要があり、それによって、2つのPLMNは、サービスをUEに提供するために適切なネットワークスライスインスタンスを選択することができ、ネットワークスライス技術がサポートされているシナリオにおいてローミングするUEのユーザ体験が保証される。
【発明の概要】
【課題を解決するための手段】
【０００５】
本発明の実施形態は、UEがローミングするシナリオにおいて、UEによって要求されるサービスはVPLMNおよびHPLMNによって共同で選択された適切なネットワークスライスによって提供される必要があるという問題を解決するために、ネットワークスライス選択方法および装置を提供する。
【０００６】
第1の態様によれば、本発明の一実施形態は、ネットワークスライス選択方法を提供する。方法は、
VPLMNの第1のスライス選択機能(Slice Selection Function、SSF)デバイスにより、UEによって送信された第1のサービス要求メッセージを受信するステップと、第1のSSFデバイスにより、第1のサービス要求メッセージに従ってユーザ機器UEのローミング情報を取得するステップと、UEのローミング情報に基づきUEに対してVPLMNにおいて第1のネットワークスライスインスタンスを選択するステップと、を含む。
【０００７】
可能な設計において、UEのローミング情報に基づきUEに対してVPLMNにおいて第1のネットワークスライスインスタンスを選択するステップの後に、方法は、
第1のSSFデバイスにより、ネットワークスライス選択要求をHPLMNの第2のSSFデバイスに送信するステップと、第1のSSFデバイスにより、第2のSSFデバイスによって送信されたスライス選択応答メッセージを受信するステップと、をさらに含み、ネットワークスライス選択要求は、UEに対してHPLMNにおいて第2のネットワークスライスインスタンスを選択することをHPLMNの第2のSSFデバイスに要求するために使用され、スライス選択応答メッセージは、第2のSSFデバイスによってUEに対してHPLMNにおいて選択された第2のネットワークスライスインスタンスに関する情報を含み、第2のネットワークスライスインスタンスに関する情報は、第2のSM機能をアドレス指定し、第2のSM機能と相互作用してセッション接続を確立することを第1のネットワークスライスインスタンスにおける第1のSM機能に命令するために使用される。
【０００８】
本発明のこの実施形態において、第1のSSFデバイスは、UEに対してVPLMNにおいて第1のネットワークスライスインスタンスを選択し、第2のSSFデバイスは、UEに対してHPLMNにおいて第2のネットワークスライスインスタンスを選択し、第1のネットワークスライスインスタンスおよび第2のネットワークスライスインスタンスはUEに対してサービスを共同で提供する。
【０００９】
可能な設計において、VPLMNの第1のSSFデバイスにより、UEによって送信された第1のサービス要求メッセージを受信するステップの前に、方法は、第1のSSFデバイスにより、UEのアタッチ要求を受信するステップと、第1のSSFデバイスにより、UEの国際移動体加入者識別(International Mobile Subscriber Identification Number、IMSI)に基づきUEのHPLMNのユーザ加入データベースからUEの加入情報を問い合わせるステップと、第1のSSFデバイスにより、加入情報、アタッチ要求内で搬送される情報、およびHPLMN IDもしくはUEがローミング加入者であることを示す指示情報に基づき、UEによって要求される移動性管理MM機能を決定するステップと、第1のSSFデバイスにより、アタッチ要求メッセージをMM機能に送信するステップと、をさらに含む。
【００１０】
可能な設計において、UEのローミング情報は、UEがローミング加入者であることを示す指示情報、および/またはUEのホーム公衆陸上移動体ネットワーク識別子HPLMN IDを含む。
【００１１】
可能な設計において、第1のサービス要求メッセージを受信した後に、第1のSSFデバイスは、UEのローミング情報に基づきUEに対してVPLMNにおいて第1のネットワークスライスインスタンスのスライスタイプを決定する。可能な設計において、第1のサービス要求メッセージを受信した後に、第1のSSFデバイスは、UEのローミング情報に基づきUEに対してVPLMNにおいて第1のネットワークスライスインスタンスを決定するか、またはUEのローミング情報に基づきUEに対してVPLMNにおいて第1のネットワークスライスインスタンスおよび第1のネットワークスライスインスタンスにおけるネットワーク機能を決定する。
【００１２】
本発明のこの実施形態において、第1のネットワークスライスインスタンスは、第1のネットワークスライスインスタンスにおけるネットワーク機能と指定された対応関係にある。
【００１３】
可能な設計において、第1のネットワークスライスインスタンスにおけるネットワーク機能は、移動性管理(Mobility Management、MM)機能および/または第1のセッション管理(Session Management、SM)機能を含む。
【００１４】
可能な設計において、ネットワークスライス選択要求は、第1のネットワークスライスインスタンスのスライスタイプを含む。
【００１５】
可能な設計において、ネットワークスライス選択要求は、訪問先公衆陸上移動体ネットワーク識別子VPLMN IDをさらに含む。
【００１６】
可能な設計において、第2のネットワークスライスインスタンスに関する情報は、第2のネットワークスライスインスタンスのスライスタイプおよび/または第2のネットワークスライスインスタンスのIDおよび/または第2のネットワークスライスインスタンスの第2のSM機能の識別子を含む。
【００１７】
第2の態様によれば、本発明の一実施形態は、ネットワークスライス選択方法を提供する。方法は、
HPLMNの第2のSSFデバイスにより、ネットワークスライス選択要求を受信するステップと、ネットワークスライス選択要求を受信した後に、第2のSSFデバイスにより、UEの訪問先ネットワークに関する情報に基づきUEに対してHPLMNにおいて第2のネットワークスライスインスタンスを選択するステップと、第2のSSFデバイスにより、スライス選択応答メッセージを受信するステップであって、スライス選択応答メッセージは、第2のSSFデバイスによってUEに対してHPLMNにおいて選択された第2のネットワークスライスインスタンスに関する情報を含む、ステップと、を含む。
【００１８】
可能な設計において、HPLMNの第2のSSFデバイスによって受信されるネットワークスライス選択要求は、VPLMNの第1のSSFデバイスによって送信される。
【００１９】
可能な設計において、HPLMNの第2のSSFデバイスによって受信されるネットワークスライス選択要求は、VPLMNの第1のネットワークスライスインスタンスにおいて第1のSM機能によって送信される。
【００２０】
可能な設計において、第2のSSFデバイスは、スライス選択応答メッセージをVPLMNの第1のSSFデバイスに送信する。
【００２１】
可能な設計において、第2のSSFデバイスは、スライス選択応答メッセージをVPLMNの第1のSMに送信する。
【００２２】
可能な設計において、ネットワークスライス選択要求を受信した後に、第2のSSFデバイスは、ユーザ機器UEの訪問先ネットワークに関する情報に基づきUEに対してHPLMNにおいて第2のネットワークスライスインスタンスのスライスタイプを決定する。
【００２３】
可能な設計において、ネットワークスライス選択要求を受信した後に、第2のSSFデバイスは、ユーザ機器UEの訪問先ネットワークに関する情報に基づきUEに対してHPLMNにおいて第2のネットワークスライスインスタンスを決定するか、またはユーザ機器UEの訪問先ネットワークに関する情報に基づきUEに対して第2のネットワークスライスインスタンスおよび第2のネットワークスライスインスタンスにおけるネットワーク機能を決定する。
【００２４】
可能な設計において、訪問先ネットワークに関する情報は、第1のネットワークスライスインスタンスのスライスタイプおよび/または訪問先公衆陸上移動体ネットワーク識別子VPLMN IDを含む。
【００２５】
可能な設計において、第2のネットワークスライスインスタンスにおけるネットワーク機能は、第2のセッション管理SM機能を含む。
【００２６】
可能な設計において、第2のネットワークスライスインスタンスに関する情報は、第2のネットワークスライスインスタンスのスライスタイプおよび/または第2のネットワークスライスインスタンスのIDおよび/または第2のネットワークスライスインスタンスの第2のSM機能の識別子を含み、第2のネットワークスライスインスタンスに関する情報は、第2のネットワークスライスインスタンスにおける第2のSM機能をアドレス指定し、第2のSM機能と相互作用してセッション接続を確立することを第1のネットワークスライスインスタンスにおける第1のSM機能に命令するために使用される。
【００２７】
第3の態様によれば、本発明の一実施形態は、ネットワークスライス選択方法を提供する。方法は、
VPLMNの第1のSM機能により、第2のサービス要求メッセージを受信するステップと、第2のサービス要求メッセージを受信した後に、第1のSMにより、ネットワークスライス選択要求をHPLMNの第2のSSFデバイスに送信するステップと、第1のSMにより、第2のSSFデバイスによって送信されたスライス選択応答メッセージを受信するステップと、を含み、第2のサービス要求メッセージは、第1のサービスを要求し、第1のサービスに対するセッション接続を確立することを第1のSM機能に命令するために使用され、ネットワークスライス選択要求は、ユーザ機器UEに対してHPLMNにおいて第2のネットワークスライスインスタンスを選択することをHPLMNの第2のSSFデバイスに命令するために使用され、スライス選択応答メッセージは、第2のSSFデバイスによってHPLMNにおいて選択された第2のネットワークスライスインスタンスに関する情報を含む。
【００２８】
可能な設計において、ネットワークスライス選択要求は、第1のネットワークスライスインスタンスのスライスタイプを含む。
【００２９】
可能な設計において、ネットワークスライス選択要求は、VPLMN IDをさらに含む。
【００３０】
可能な設計において、ネットワークスライス選択要求は、第1のネットワークスライスインスタンスのIDおよび/または第1のネットワークスライスインスタンスにおける第1のSM機能の識別子をさらに含み、第1のネットワークスライスインスタンスのIDおよび/または第1のネットワークスライスインスタンスにおける第1のSM機能の識別子は、第1のSM機能をアドレス指定し、第1のSM機能と相互作用してセッション接続を確立することを第2のネットワークスライスインスタンスにおける第2のSM機能に命令するために使用される。
【００３１】
第4の態様によれば、本発明の一実施形態は、ネットワークスライスインスタンス選択装置を提供する。装置は、UEによって送信された第1のサービス要求メッセージを受信するように構成された第1の受信ユニットと、第1の受信ユニットによって受信された第1のサービス要求メッセージに従ってユーザ機器UEのローミング情報を取得し、UEのローミング情報に基づきUEに対してVPLMNにおいて第1のネットワークスライスインスタンスを選択するように構成された第1の処理ユニットと、を含む。
【００３２】
可能な設計において、装置は第1の送信ユニットをさらに含む。第1の送信ユニットは、ネットワークスライス選択要求をHPLMNの第2のSSFデバイスに送信するように構成される。次いで、第1の受信ユニットは、第2のSSFデバイスによって送信されたスライス選択応答メッセージを受信するようにさらに構成される。ネットワークスライス選択要求は、UEに対してHPLMNにおいて第2のネットワークスライスインスタンスを選択することをHPLMNの第2のSSFデバイスに要求するために使用され、スライス選択応答メッセージは、第2のSSFデバイスによってUEに対してHPLMNにおいて選択された第2のネットワークスライスインスタンスに関する情報を含み、第2のネットワークスライスインスタンスに関する情報は、第2のSM機能をアドレス指定し、第2のSM機能と相互作用してセッション接続を確立することを第1のネットワークスライスインスタンスにおける第1のSM機能に命令するために使用される。
【００３３】
本発明のこの実施形態において、第1の受信ユニット、第1の処理ユニット、および第1の送信ユニットは、VPLMNの第1のSSFデバイスに属す。第1のSSFデバイスは、UEに対してVPLMNにおいて第1のネットワークスライスインスタンスを選択し、第2のSSFデバイスは、UEに対してHPLMNにおいて第2のネットワークスライスインスタンスを選択し、第1のネットワークスライスインスタンスおよび第2のネットワークスライスインスタンスはUEに対してサービスを共同で提供する。
【００３４】
可能な設計において、UEによって送信された第1のサービス要求メッセージを受信する前に、
第1の受信ユニットは、UEのアタッチ要求を受信し、第1の処理ユニットは、UEの国際移動体加入者識別に基づきUEのHPLMNのユーザ加入データベースからUEの加入情報を問い合わせ、加入情報、アタッチ要求内で搬送される情報、およびHPLMN IDもしくはUEがローミング加入者であることを示す指示情報に基づき、UEによって要求される移動性管理MM機能を決定し、第1の送信ユニットは、アタッチ要求メッセージをMM機能に送信する。
【００３５】
可能な設計において、UEのローミング情報は、UEがローミング加入者であることを示す指示情報、および/またはUEのホーム公衆陸上移動体ネットワーク識別子HPLMN IDを含む。
【００３６】
可能な設計において、第1の受信ユニットが第1のサービス要求メッセージを受信した後に、第1の処理ユニットは、UEのローミング情報に基づきUEに対してVPLMNにおいて第1のネットワークスライスインスタンスのスライスタイプを決定する。
【００３７】
可能な設計において、第1の受信ユニットが第1のサービス要求メッセージを受信した後に、第1の処理ユニットは、UEのローミング情報に基づきUEに対してVPLMNにおいて第1のネットワークスライスインスタンスを決定するか、またはUEのローミング情報に基づきUEに対してVPLMNにおいて第1のネットワークスライスインスタンスおよび第1のネットワークスライスインスタンスにおけるネットワーク機能を決定する。
【００３８】
本発明のこの実施形態において、第1のネットワークスライスインスタンスは、第1のネットワークスライスインスタンスにおけるネットワーク機能と指定された対応関係にある。
【００３９】
可能な設計において、第1のネットワークスライスインスタンスにおけるネットワーク機能は、移動性管理MM機能および/または第1のセッション管理SM機能を含む。
【００４０】
可能な設計において、ネットワークスライス選択要求は、第1のネットワークスライスインスタンスのスライスタイプを含む。
【００４１】
可能な設計において、ネットワークスライス選択要求は、訪問先公衆陸上移動体ネットワーク識別子VPLMN IDをさらに含む。
【００４２】
可能な設計において、第2のネットワークスライスインスタンスに関する情報は、第2のネットワークスライスインスタンスのスライスタイプおよび/または第2のネットワークスライスインスタンスのIDおよび/または第2のネットワークスライスインスタンスの第2のSM機能の識別子を含む。
【００４３】
第5の態様によれば、本発明の一実施形態は、ネットワークスライス選択装置を提供する。装置は、ネットワークスライス選択要求を受信するように構成された第2の受信ユニットと、第2の受信ユニットがネットワークスライス選択要求を受信した後に、UEの訪問先ネットワークに関する情報に基づきUEに対してHPLMNにおいて第2のネットワークスライスインスタンスを選択するように構成された第2の処理ユニットと、スライス選択応答メッセージを送信するように構成された第2の送信ユニットであって、スライス選択応答メッセージは、第2のSSFデバイスによってUEに対してHPLMNにおいて選択された第2のネットワークスライスインスタンスに関する情報を含む、第2の送信ユニットと、を含む。
【００４４】
本発明のこの実施形態において、第2の受信ユニット、第2の処理ユニット、および第2の送信ユニットは、HPLMNの第2のSSFデバイスに属す。
【００４５】
可能な設計において、第2の受信ユニットによって受信されるネットワークスライス選択要求は、VPLMNの第1のSSFデバイスによって送信される。
【００４６】
可能な設計において、第2の受信ユニットによって受信されるネットワークスライス選択要求は、VPLMNの第1のネットワークスライスインスタンスにおいて第1のSM機能によって送信される。
【００４７】
可能な設計において、第2の送信ユニットは、スライス選択応答メッセージをVPLMNの第1のSSFデバイスに送信する。
【００４８】
可能な設計において、第2の送信ユニットは、スライス選択応答メッセージをVPLMNの第1のSMに送信する。
【００４９】
可能な設計において、第2の受信ユニットがネットワークスライス選択要求を受信した後に、第2の処理ユニットは、ユーザ機器UEの訪問先ネットワークに関する情報に基づきUEに対してHPLMNにおいて第2のネットワークスライスインスタンスのスライスタイプを決定する。
【００５０】
可能な設計において、第2の受信ユニットがネットワークスライス選択要求を受信した後に、第2の処理ユニットは、ユーザ機器UEの訪問先ネットワークに関する情報に基づきUEに対してHPLMNにおいて第2のネットワークスライスインスタンスを決定するか、またはUEのローミング情報に基づきUEに対してVPLMNにおいて第1のネットワークスライスインスタンスおよび第2のネットワークスライスインスタンスにおけるネットワーク機能を決定する。
【００５１】
可能な設計において、訪問先ネットワークに関する情報は、第1のネットワークスライスインスタンスのスライスタイプおよび/または訪問先公衆陸上移動体ネットワーク識別子VPLMN IDを含む。
【００５２】
可能な設計において、第2のネットワークスライスインスタンスにおけるネットワーク機能は、第2のセッション管理SM機能を含む。
【００５３】
可能な設計において、第2のネットワークスライスインスタンスに関する情報は、第2のネットワークスライスインスタンスのスライスタイプおよび/または第2のネットワークスライスインスタンスのIDおよび/または第2のネットワークスライスインスタンスの第2のSM機能の識別子を含み、第2のネットワークスライスインスタンスに関する情報は、第2のネットワークスライスインスタンスにおける第2のSM機能をアドレス指定し、第2のSM機能と相互作用してセッション接続を確立することを第1のネットワークスライスインスタンスにおける第1のSM機能に命令するために使用される。
【００５４】
第6の態様によれば、本発明の一実施形態は、ネットワークスライスインスタンス選択装置を提供する。装置は、第2のサービス要求メッセージを受信するように構成された第3の受信ユニットと、第3の受信ユニットが第2のサービス要求メッセージを受信した後に、ネットワークスライス選択要求をHPLMNの第2のSSFデバイスに送信するように構成された第3の送信ユニットと、を含む。次いで、第3の受信ユニットは、第2のSSFデバイスによって送信されたスライス選択応答メッセージを受信する。第2のサービス要求メッセージは、第1のサービスを要求し、第1のサービスに対するセッション接続を確立することを第1のSM機能に命令するために使用され、ネットワークスライス選択要求は、ユーザ機器UEに対してHPLMNにおいて第2のネットワークスライスインスタンスを選択することをHPLMNの第2のSSFデバイスに命令するために使用され、スライス選択応答メッセージは、第2のSSFデバイスによってHPLMNにおいて選択された第2のネットワークスライスインスタンスに関する情報を含む。
【００５５】
本発明のこの実施形態において、第3の受信ユニット、第3の処理ユニット、および第3の送信ユニットは、VPLMNの第1のSMデバイスに属す。
【００５６】
可能な設計において、ネットワークスライス選択要求は、第1のネットワークスライスインスタンスのスライスタイプを含む。
【００５７】
可能な設計において、ネットワークスライス選択要求は、VPLMN IDをさらに含む。
【００５８】
可能な設計において、ネットワークスライス選択要求は、第1のネットワークスライスインスタンスのIDおよび/または第1のネットワークスライスインスタンスにおける第1のSM機能の識別子をさらに含み、第1のネットワークスライスインスタンスのIDおよび/または第1のネットワークスライスインスタンスにおける第1のSM機能の識別子は、第1のSM機能をアドレス指定し、第1のSM機能と相互作用してセッション接続を確立することを第2のネットワークスライスインスタンスにおける第2のSM機能に命令するために使用される。
【図面の簡単な説明】
【００５９】
【図１】本発明の一実施形態によるホーム経路設定ローミングアーキテクチャの概略図である。
【図２】本発明の一実施形態によるネットワークスライスインスタンス選択方法の概略フローチャートである。
【図３】本発明の一実施形態による、UEによるアタッチの概略フローチャートである。
【図４】本発明の一実施形態による別のネットワークスライスインスタンス選択方法の概略フローチャートである。
【図５】本発明の一実施形態による別のネットワークスライスインスタンス選択方法の概略フローチャートである。
【図６】本発明の一実施形態による別のネットワークスライスインスタンス選択方法の概略フローチャートである。
【図７】本発明の一実施形態による別のネットワークスライスインスタンス選択方法の概略フローチャートである。
【図８】本発明の一実施形態によるネットワークスライスインスタンス選択装置の概略構造図である。
【図９】本発明の一実施形態による別のネットワークスライスインスタンス選択装置の概略構造図である。
【図１０】本発明の一実施形態による別のネットワークスライスインスタンス選択装置の概略構造図である。
【発明を実施するための形態】
【００６０】
以下は、本発明の実施形態における添付図面を参照して本発明の実施形態における技術的解決策を明確に説明する。明らかに、説明される実施形態は、本発明の実施形態のほんのいくつかであるが、すべてではない。創作的努力なしで本発明の実施形態に基づいてこの技術分野の当業者によって得られる他のすべての実施形態は、本発明の保護の範囲内にあるものである。
【００６１】
図1に表わされたように、ユーザ機器UEは、発展型地上無線アクセスネットワーク(Evolved Universal Terrestrial Radio Access Network、E-UTRAN)を使用することによって発展型パケットコア(Evolved Packet Core、EPC)ネットワークにアクセスする。EPCのホーム経路設定ローミングアーキテクチャでは、UEは、VPLMNのサービングゲートウェイ(Serving Gateway、S-GW)を使用することによってVPLMNのS-GWネットワーク要素とHPLMNのPDNゲートウェイ(PDN Gateway、P-GW)との間でS8ベアラを確立し、HPLMNのP-GWは、外部PDNへの接続を確立する。
【００６２】
この出願において説明されるユーザ機器UEは、ワイヤレス通信機能を有する様々なハンドヘルドデバイス、車載デバイス、ウェアラブルデバイス、およびコンピューティングデバイス、ワイヤレスモデムに接続された他の処理デバイス、および様々な形式のユーザ機器(User Equipment、UE)を含み得る。スライス選択機能(Slice Selection Function、SSF)は、HPLMNおよびVPLMNにおいてネットワークスライスインスタンスを選択するように構成される。移動性管理(Mobility Management、MM)機能は、HPLMNおよびVPLMNにおいてネットワークスライスインスタンスによって実現されることができる機能を示す。第1のセッション管理(Session Management、SM)機能は、HPLMNのネットワークスライスインスタンスとVPLMNのネットワークスライスインスタンスとの間のセッション接続を確立するように構成される。説明の簡単さのために、この出願では、上記で言及されたデバイスはすべて、ユーザ機器またはUEと称される。
【００６３】
本発明の一実施形態は、ネットワークスライスインスタンス選択方法を提供する。図2に表わされたように、方法は以下のプロセスを含む。
【００６４】
S21. VPLMNの第1のSSFデバイスは、第1のサービス要求メッセージを受信する。
【００６５】
S22. 第1のSSFデバイスは、第1のサービス要求メッセージに従ってユーザ機器UEのローミング情報を取得する。
【００６６】
S23. 第1のSSFデバイスは、UEのローミング情報に基づきUEに対してVPLMNにおいて第1のネットワークスライスインスタンスを選択する。
【００６７】
本発明のこの実施形態において、ステップS23の後に、方法は、第1のSSFデバイスにより、ネットワークスライス選択要求をHPLMNの第2のSSFデバイスに送信するステップであって、ネットワークスライス選択要求は、UEに対してHPLMNにおいて第2のネットワークスライスインスタンスを選択することをHPLMNの第2のSSFデバイスに要求するために使用される、ステップと、第1のSSFデバイスにより、第2のSSFデバイスによって送信されたスライス選択応答メッセージを受信するステップであって、スライス選択応答メッセージは、第2のSSFデバイスによってUEに対してHPLMNにおいて選択された第2のネットワークスライスインスタンスに関する情報を含み、第2のネットワークスライスインスタンスに関する情報は、第2のSM機能をアドレス指定し、第2のSM機能と相互作用してセッション接続を確立することを第1のネットワークスライスインスタンスにおける第1のSM機能に命令するために使用される、ステップと、をさらに含む。
【００６８】
本発明のこの実施形態において、ステップS23の後に、方法は、第1のSSFデバイスにより、サービス要求メッセージを第1のネットワークスライスインスタンスにおけるMM機能に転送するステップをさらに含み、それによって、MM機能は第1のネットワークスライスインスタンスにおける第1のSM機能をトリガーして、ネットワークスライス選択要求をHPLMNの第2のSSFデバイスに送信する。ネットワークスライス選択要求は、UEに対してHPLMNにおいて第2のネットワークスライスインスタンスを選択することをHPLMNの第2のSSFデバイスに要求するために使用される。
【００６９】
本発明のこの実施形態において、第1のSSFデバイスは、UEに対してVPLMNにおいて第1のネットワークスライスインスタンスを選択し、第2のSSFデバイスは、UEに対してHPLMNにおいて第2のネットワークスライスインスタンスを選択し、第1のネットワークスライスインスタンスおよび第2のネットワークスライスインスタンスはUEに対してサービスを共同で提供する。
【００７０】
本発明のこの実施形態において、UEによって送信され、VPLMNの第1のSSFデバイスによって受信される第1のサービス要求メッセージは、要求されたサービスタイプを搬送するUEのアタッチ要求であってよく、ネットワークに登録することを要求し、サービスに対するセッション接続を確立することをネットワークに要求するために使用される。アタッチ要求は、代替的に、VPLMNの第1のSSFデバイスがUEによって送信された第1のサービス要求メッセージを受信する前に送信されてよい。UEがVPLMNにアタッチする初期アタッチ手順については、図3を参照されたい。
【００７１】
ステップ301. UEは、ネットワークに登録することを要求する初期アタッチ要求メッセージを送信する。
【００７２】
ステップ302. 第1のSSFデバイスは、アクセスネットワーク(Access Network、AN)によって転送される初期アタッチ要求メッセージを受信し、UEの国際移動体加入者識別IMSIに基づきUEのHPLMNのユーザ加入データベースからUEの加入情報を問い合わせて、UEの認証を完了する。
【００７３】
ステップ303. 第1のSSFデバイスは、加入情報、初期アタッチ要求メッセージ内で搬送される情報、およびHPLMN IDもしくはUEがローミング加入者であることを示す指示情報に基づき、UEによって要求される移動性管理MM機能を決定する。
【００７４】
ステップ304. 第1のSSFデバイスは、初期アタッチ要求メッセージをMM機能に送信する。
【００７５】
ステップ305. MM機能は、認証および認可AU機能を選択して、認証およびスライス認可プロセスを実行する。
【００７６】
ステップ306. MM機能は、アタッチ承認メッセージを第1のSSFデバイスに送信し、アタッチ承認メッセージは、UEの一時識別子(Temporary ID)を搬送する。
【００７７】
ステップ307. SSFデバイスは、ANを使用することによってアタッチ承認メッセージをUEに転送する。
【００７８】
本発明のこの実施形態において、UEによって送信され、VPLMNの第1のSSFデバイスによって受信される第1のサービス要求メッセージは、代替的に、セッション確立要求メッセージであってよく、UEによって要求されるサービスに対するセッション接続を確立することをネットワークに要求するために使用される。
【００７９】
本発明のこの実施形態において、第1のネットワークスライスインスタンスは、VPLMNにおいて選択され、第2のネットワークスライスインスタンスは、HPLMNにおいて選択される。第1のネットワークスライスインスタンスおよび第2のネットワークスライスインスタンスは、VPLMNおよびHPLMNにおける様々な機能の間の相互作用によってUEに対してサービスを共同で提供する。第1のネットワークスライスインスタンスおよび第2のネットワークスライスインスタンスの選択ならびに相互作用プロセスは、4つの実施形態を使用することによって下記で詳細に説明される。
【００８０】
実施形態1: VPLMNが、第1のSSFデバイスを使用することによってネットワークスライス選択要求をHPLMNの第2のSSFデバイスに直接送信するとき、VPLMNとHPLMNの間の相互作用のプロセスが図4に表わされている。
【００８１】
ステップ401. UEが、第1のサービス要求メッセージをVPLMNのANノードに送信し、第1のサービス要求メッセージは、少なくともUEの識別子、サービスタイプ(service type)、またはアクセスポイント名(Access Point Name、APN)を含み、UEの識別子は、UEの一時識別子またはUEのIMSIであってよい。
【００８２】
ステップ402. ANノードは、UEの識別子に基づき第1のサービス要求メッセージをVPLMNのMM機能に転送する。
【００８３】
ステップ403. MM機能は、第1のサービス要求メッセージをVPLMNの第1のSSFデバイスに転送し、UEによって要求されたサービスがホーム経路設定(home-routed)タイプであることをVPLMNのSSFデバイスに示し、UEの加入データに基づき、UEがローミング加入者であると決定し、service typeまたはAPNに基づき、UEによって要求されたサービスタイプがhome-routedタイプであると決定する。
【００８４】
ステップ404. 第1のSSFデバイスは、UEのローミング情報に基づきUEに対してVPLMNにおいて第1のネットワークスライスインスタンスを選択し、UEのローミング情報は、UEがローミング加入者であることを示す指示情報、および/またはUEのホーム公衆陸上移動体ネットワーク識別子HPLMN IDを含む。第1のSSFデバイスにより、UEのローミング情報に基づきUEに対してVPLMNにおいて第1のネットワークスライスインスタンスを選択するステップは、第1のSSFデバイスにより、UEのローミング情報に基づきUEに対してVPLMNにおいて第1のネットワークスライスインスタンスのスライスタイプを決定するステップ、またはUEのローミング情報に基づきUEに対してVPLMNにおいて第1のネットワークスライスインスタンスを決定するステップ、またはUEのローミング情報に基づきUEに対してVPLMNにおいて第1のネットワークスライスインスタンスおよび第1のネットワークスライスインスタンスにおけるネットワーク機能を決定するステップを含む。第1のネットワークスライスインスタンスにおけるネットワーク機能は、移動性管理MM機能および/または第1のセッション管理SM機能を含む。
【００８５】
ステップ405. VPLMNの第1のSSFデバイスは、ネットワークスライス選択要求をHPLMNの第2のSSFデバイスに送信し、ネットワークスライス選択要求は、UEによって要求されたservice type(またはAPN)、UEの識別子、および第1のネットワークスライスインスタンスのスライスタイプを搬送し、ネットワークスライス選択要求は、さらに任意選択で、VPLMN IDを搬送し、UEの識別子は、UEのIMSIである。
【００８６】
ステップ406. HPLMNの第2のSSFデバイスは、ユーザ加入データベースからUEの加入情報を取得する。
【００８７】
ステップ407. HPLMNの第2のSSFデバイスは、UEの訪問先ネットワークに関する情報に基づきUEに対して第2のネットワークスライスインスタンスを選択し、訪問先ネットワークに関する情報は、第1のネットワークスライスインスタンスのスライスタイプおよび/または訪問先公衆陸上移動体ネットワーク識別子VPLMN IDを含む。第2のSSFデバイスにより、UEの訪問先ネットワークに関する情報に基づきUEに対してHPLMNにおいて第2のネットワークスライスインスタンスを選択するステップは、第2のSSFデバイスにより、UEの訪問先ネットワークに関する情報に基づきUEに対して第2のネットワークスライスインスタンスを決定するステップ、またはUEの訪問先ネットワークに関する情報に基づきUEに対して第2のネットワークスライスインスタンスおよび第2のネットワークスライスインスタンスにおけるネットワーク機能を決定するステップを含む。第2のネットワークスライスインスタンスにおけるネットワーク機能は、第2のセッション管理SM機能を含む。
【００８８】
ステップ408. HPLMNのSSFデバイスは、スライス選択応答メッセージをVPLMNのSSFデバイスに送信し、スライス選択応答メッセージは、第2のSSFデバイスによってUEに対してHPLMNにおいて選択された第2のネットワークスライスインスタンスに関する情報を含み、第2のネットワークスライスインスタンスに関する情報は、第2のネットワークスライスインスタンスのスライスタイプおよび/または第2のネットワークスライスインスタンスのIDおよび/または第2のネットワークスライスインスタンスの第2のSM機能の識別子を含み、第2のネットワークスライスインスタンスに関する情報は、第2のネットワークスライスインスタンスにおける第2のSM機能をアドレス指定し、第2のSM機能と相互作用してセッション接続を確立することを第1のネットワークスライスインスタンスにおける第1のSM機能に命令するために使用され、第2のSM機能の識別子は、第2のSM機能のIPアドレスであってよい。
【００８９】
ステップ409. VPLMNの第1のSSFデバイスは、第2のサービス要求メッセージをVPLMNの第1のMM機能に送信し、第2のサービス要求メッセージは、少なくともUEの識別子、第1のネットワークスライスインスタンスのIDもしくは第1のネットワークスライスインスタンスのスライスタイプ、および第2のネットワークスライスインスタンスに関する情報を含み、第2のネットワークスライスインスタンスに関する情報は、第2のネットワークスライスインスタンスのスライスタイプおよび/または第2のネットワークスライスインスタンスのIDおよび/または第2のネットワークスライスインスタンスに対応する第2のSM機能の識別子を含み、UEの識別子は、UEの一時識別子であってよい。任意選択で、第2のサービス要求メッセージは、HPLMN IDをさらに含み、第2のサービス要求メッセージは、第1のネットワークスライスインスタンスの第1のSM機能の識別子をさらに含む。
【００９０】
ステップ410. VPLMNの第1のMM機能は、第3のサービス要求メッセージをVPLMNの第1のネットワークスライスインスタンスに対応する第1のSM機能に送信し、第3のサービス要求メッセージは、少なくとも、UEの識別子、および第2のネットワークスライスインスタンスのスライスタイプおよび/または第2のネットワークスライスインスタンスのIDおよび/または第2のネットワークスライスインスタンスに対応する第2のSM機能の識別子を含み、UEの識別子は、UEの一時識別子であってよい。任意選択で、第3のサービス要求メッセージは、HPLMN IDをさらに含む。
【００９１】
ステップ411. VPLMNの第1のSM機能は、HPLMNの第2のネットワークスライスインスタンスのスライスタイプおよび/または第2のネットワークスライスインスタンスのIDおよび/または第2のネットワークスライスインスタンスに対応する第2のSMの識別子に基づきHPLMNの対応する第2のSM機能をアドレス指定し、セッション確立要求を第2のSM機能に送信し、第2のSM機能と相互作用してセッション確立プロセスを完了する。任意選択で、対応する第2のSM機能は、第1のSM機能に基づきアドレス指定されてよい。代替的に、対応する第2のSM機能は、HPLMN IDおよびHPLMNの第2のネットワークスライスインスタンスのスライスタイプに基づくか、HPLMN IDおよびHPLMNの第2のネットワークスライスインスタンスのID情報に基づくか、またはHPLMN IDおよび第2のネットワークスライスインスタンスの第2のSM機能の識別子に基づきアドレス指定される。
【００９２】
ステップ412. VPLMNの第1のSM機能は、サービス要求応答メッセージをVPLMNの第1のMM機能に返し、VPLMNの第1のMM機能は、ANを使用することによってサービス要求応答メッセージをUEに転送する。
【００９３】
本発明において、ネットワークスライスインスタンスのネットワークスライスタイプは、ネットワークスライスインスタンスのスライスタイプを識別するかまたは示すことができるネットワークスライスタイプ識別子などの情報を指す。
【００９４】
実施形態2: VPLMNが、第1のSMを使用することによってネットワークスライス選択要求をHPLMNの第2のSSFデバイスに送信するとき、VPLMNとHPLMNの間の相互作用のプロセスが図5に表わされている。
【００９５】
ステップ501. UEが、第1のサービス要求メッセージをVPLMNのANノードに送信し、第1のサービス要求メッセージは、少なくともUEの識別子、service type、またはAPNを含み、UEの識別子は、UEの一時識別子またはUEのIMSIであってよい。
【００９６】
ステップ502. ANノードは、UEの識別子に基づき第1のサービス要求メッセージをVPLMNのMM機能に転送する。
【００９７】
ステップ503. MM機能は、第1のサービス要求メッセージをVPLMNの第1のSSFデバイスに転送し、UEによって要求されたサービスがhome-routedタイプであることをVPLMNのSSFデバイスに示し、UEの加入データに基づき、UEがローミング加入者であると決定し、service typeまたはAPNに基づき、UEによって要求されたサービスタイプがhome-routedタイプであると決定する。
【００９８】
ステップ504. 第1のSSFデバイスは、UEのローミング情報に基づきUEに対してVPLMNにおいて第1のネットワークスライスインスタンスを選択し、UEのローミング情報は、UEがローミング加入者であることを示す指示情報、および/またはUEのHPLMN IDを含む。第1のSSFデバイスにより、UEのローミング情報に基づきUEに対してVPLMNにおいて第1のネットワークスライスインスタンスを選択するステップは、第1のSSFデバイスにより、UEのローミング情報に基づきUEに対してVPLMNにおいて第1のネットワークスライスインスタンスのスライスタイプを決定するステップ、またはUEのローミング情報に基づきUEに対してVPLMNにおいて第1のネットワークスライスインスタンスを決定するステップ、またはUEのローミング情報に基づきUEに対してVPLMNにおいて第1のネットワークスライスインスタンスおよび第1のネットワークスライスインスタンスにおけるネットワーク機能を決定するステップを含む。第1のネットワークスライスインスタンスにおけるネットワーク機能は、移動性管理MM機能および/または第1のセッション管理SM機能を含む。
【００９９】
ステップ505. VPLMNの第1のSSFデバイスは、第2のサービス要求メッセージをVPLMNの第1のMM機能に送信し、第2のサービス要求メッセージは、少なくともUEによって要求されたservice type(またはAPN)、UEの識別子、および第1のネットワークスライスインスタンスのスライスタイプもしくは第1のネットワークスライスインスタンスのIDを搬送し、UEの識別子は、UEの一時識別子であってよい。任意選択で、第2のサービス要求メッセージは、HPLMN IDをさらに含む。任意選択で、第2のサービス要求メッセージは、第1のネットワークスライスインスタンスの第1のSM機能の識別子をさらに含む。
【０１００】
ステップ506. VPLMNの第1のMM機能は、第3のサービス要求メッセージをVPLMNの第1のSM機能に送信し、第3のサービス要求メッセージは、第1のサービスを要求し、第1のサービスに対するセッション接続を確立することを第1のSM機能に命令するために使用される。第3のサービス要求メッセージは、少なくともUEの識別子を含み、UEの識別子は、UEの一時識別子であってよい。任意選択で、第3のサービス要求メッセージは、第1のネットワークスライスインスタンスのIDおよび/または第1のネットワークスライスインスタンスのスライスタイプをさらに含む。ステップ504において、第1のSSFデバイスにより、UEのローミング情報に基づきUEに対してVPLMNにおいて第1のネットワークスライスインスタンスを選択するステップが、ステップ506において、第1のMM機能により、第3のサービス要求メッセージを第1のSM機能に送信するステップを実行する前に、第1のSSFデバイスにより、UEのローミング情報に基づきUEに対してVPLMNにおいて第1のネットワークスライスインスタンスのスライスタイプを決定するステップを含むとき、方法は、第1のMM機能により、第1のSSFデバイスによって決定される第1のネットワークスライスインスタンスのスライスタイプに基づき第1のネットワークスライスインスタンスおよび第1のネットワークスライスインスタンスにおける第1のSM機能を決定するステップをさらに含む。
【０１０１】
ステップ507. VPLMNの第1のSM機能は、ネットワークスライス選択要求をHPLMNの第2のSSFデバイスに送信し、ネットワークスライス選択要求は、少なくとも第1のネットワークスライスインスタンスのスライスタイプ、UEによって要求されたservice type(またはAPN)、およびUEの識別子を搬送し、UEの識別子は、UEのIMSIであってよく、ネットワークスライス選択要求は、さらに任意選択で、VPLMN IDを搬送する。
【０１０２】
ステップ508. HPLMNの第2のSSFデバイスは、ユーザ加入データベースからUEの加入情報を取得する。
【０１０３】
ステップ509. HPLMNの第2のSSFデバイスは、UEの訪問先ネットワークに関する情報に基づきUEに対して第2のネットワークスライスインスタンスを選択し、訪問先ネットワークに関する情報は、第1のネットワークスライスインスタンスのスライスタイプおよび/またはVPLMN IDを含む。第2のSSFデバイスにより、UEの訪問先ネットワークに関する情報に基づきUEに対して第1のネットワークスライスインスタンスを選択するステップは、UEの訪問先ネットワークに関する情報に基づきUEに対して第2のネットワークスライスインスタンスのスライスタイプを決定するステップ、またはUEの訪問先ネットワークに関する情報に基づきUEに対して第2のネットワークスライスインスタンスを決定するステップ、またはUEの訪問先ネットワークに関する情報に基づきUEに対して第2のネットワークスライスインスタンスおよび第2のネットワークスライスインスタンスにおけるネットワーク機能を決定するステップを含む。第2のネットワークスライスインスタンスにおけるネットワーク機能は、第2のセッション管理SM機能を含む。
【０１０４】
ステップ510. HPLMNのSSFデバイスは、スライス選択応答メッセージをVPLMNの第1のSMに送信し、スライス選択応答メッセージは、第2のSSFデバイスによってUEに対してHPLMNにおいて選択された第2のネットワークスライスインスタンスに関する情報を含み、第2のネットワークスライスインスタンスに関する情報は、第2のネットワークスライスインスタンスのスライスタイプおよび/または第2のネットワークスライスインスタンスのIDおよび/または第2のネットワークスライスインスタンスの第2のSM機能の識別子を含み、第2のネットワークスライスインスタンスに関する情報は、第2のネットワークスライスインスタンスにおける第2のSM機能をアドレス指定し、第2のSM機能と相互作用してセッション接続を確立することを第1のネットワークスライスインスタンスにおける第1のSM機能に命令するために使用され、第2のSM機能の識別子は、第2のSM機能のIPアドレスであってよい。
【０１０５】
ステップ511. VPLMNの第1のSM機能は、HPLMNの第2のネットワークスライスインスタンスのスライスタイプおよび/または第2のネットワークスライスインスタンスのIDおよび/または第2のネットワークスライスインスタンスに対応する第2のSMの識別子に基づきHPLMNの対応する第2のSM機能をアドレス指定し、セッション確立要求を第2のSM機能に送信し、第2のSM機能と相互作用してセッション確立プロセスを完了する。任意選択で、対応する第2のSM機能は、第1のSM機能に基づきアドレス指定されてよい。代替的に、対応する第2のSM機能は、HPLMN IDおよびHPLMNの第2のネットワークスライスインスタンスのスライスタイプに基づくか、HPLMN IDおよびHPLMNの第2のネットワークスライスインスタンスのID情報に基づくか、またはHPLMN IDおよび第2のネットワークスライスインスタンスの第2のSM機能の識別子に基づきアドレス指定されてよい。
【０１０６】
ステップ512. VPLMNの第1のSM機能は、サービス要求応答メッセージをVPLMNの第1のMM機能に返し、VPLMNの第1のMM機能は、ANを使用することによってサービス要求応答メッセージをUEに転送する。
【０１０７】
実施形態3: VPLMNが、第1のSMを使用することによってネットワークスライス選択要求をHPLMNの第2のSSFデバイスに送信するとき、VPLMNとHPLMNの間の相互作用の別のプロセスが図6に表わされている。
【０１０８】
ステップ601. UEが、第1のサービス要求メッセージをVPLMNのANノードに送信し、第1のサービス要求メッセージは、少なくともUEの識別子、service type、またはAPNを含み、UEの識別子は、UEの一時識別子またはUEのIMSIであってよい。
【０１０９】
ステップ602. ANノードは、UEの識別子に基づき第1のサービス要求メッセージをVPLMNのMM機能に転送する。
【０１１０】
ステップ603. MM機能は、第1のサービス要求メッセージをVPLMNの第1のSSFデバイスに転送し、UEによって要求されたサービスがhome-routedタイプであることをVPLMNのSSFデバイスに示し、UEの加入データに基づき、UEがローミング加入者であると決定し、service typeまたはAPNに基づき、UEによって要求されたサービスタイプがhome-routedタイプであると決定する。
【０１１１】
ステップ604. 第1のSSFデバイスは、UEのローミング情報に基づきUEに対してVPLMNにおいて第1のネットワークスライスインスタンスを選択し、UEのローミング情報は、UEがローミング加入者であることを示す指示情報、および/またはUEのホーム公衆陸上移動体ネットワーク識別子HPLMN IDを含む。第1のSSFデバイスにより、UEのローミング情報に基づきUEに対してVPLMNにおいて第1のネットワークスライスインスタンスを選択するステップは、第1のSSFデバイスにより、UEのローミング情報に基づきUEに対してVPLMNにおいて第1のネットワークスライスインスタンスのスライスタイプを決定するステップ、またはUEのローミング情報に基づきUEに対してVPLMNにおいて第1のネットワークスライスインスタンスを選択するステップ、またはUEのローミング情報に基づきUEに対してVPLMNにおいて第1のネットワークスライスインスタンスおよび第1のネットワークスライスインスタンスにおけるネットワーク機能を選択するステップを含む。第1のネットワークスライスインスタンスにおけるネットワーク機能は、移動性管理MM機能および/または第1のセッション管理SM機能を含む。
【０１１２】
ステップ605. VPLMNの第1のSSFデバイスは、第2のサービス要求メッセージをVPLMNの第1のMM機能に送信し、第2のサービス要求メッセージは、少なくともUEによって要求されたservice type(またはAPN)、UEの識別子、および第1のネットワークスライスインスタンスのスライスタイプもしくは第1のネットワークスライスインスタンスのIDを搬送する。任意選択で、第2のサービス要求メッセージは、HPLMN IDをさらに含み、第2のサービス要求メッセージは、第1のネットワークスライスインスタンスの第1のSM機能の識別子をさらに含み、UEの識別子は、UEの一時識別子であってよい。
【０１１３】
ステップ606. VPLMNの第1のMM機能は、第3のサービス要求メッセージをVPLMNの第1のSM機能に送信し、第3のサービス要求メッセージは、第1のサービスを要求し、第1のサービスに対するセッション接続を確立することを第1のSM機能に命令するために使用される。第3のサービス要求メッセージは、少なくともUEの識別子を含み、UEの識別子は、UEの一時識別子であってよい。任意選択で、第3のサービス要求メッセージは、第1のネットワークスライスインスタンスのIDおよび/または第1のネットワークスライスインスタンスのスライスタイプをさらに含む。ステップ604において、第1のSSFデバイスにより、UEのローミング情報に基づきUEに対してVPLMNにおいて第1のネットワークスライスインスタンスを選択するステップが、ステップ606において、第1のMM機能により、第3のサービス要求メッセージを第1のSM機能に送信するステップを実行する前に、第1のSSFデバイスにより、UEのローミング情報に基づきUEに対してVPLMNにおいて第1のネットワークスライスインスタンスのスライスタイプを決定するステップを含むとき、方法は、第1のMM機能により、第1のSSFデバイスによって決定される第1のネットワークスライスインスタンスのスライスタイプに基づき第1のネットワークスライスインスタンスおよび第1のネットワークスライスインスタンスにおける第1のSM機能を決定するステップをさらに含む。
【０１１４】
ステップ607. VPLMNの第1のSM機能は、ネットワークスライス選択要求をHPLMNの第2のSSFデバイスに送信し、ネットワークスライス選択要求は、第1のネットワークスライスインスタンスのスライスタイプ、UEによって要求されたservice type(またはAPN)、およびUEの識別子(IMSI)を搬送し、UEの識別子は、UEのIMSIであってよい。任意選択で、ネットワークスライス選択要求は、VPLMN IDをさらに搬送する。任意選択で、ネットワークスライス選択要求は、第1のネットワークスライスインスタンスのIDおよび/または第1のネットワークスライスインスタンスにおける第1のSM機能の識別子、および第1のネットワークスライスインスタンスにおけるユーザプレーン機能の識別子をさらに搬送し、第1のSM機能の識別子は、第1のSM機能のIPアドレスであってよく、第1のネットワークスライスインスタンスにおけるユーザプレーン機能の識別子は、ユーザプレーン機能のIPアドレスであってよい。UEの識別子は、UEのIMSIであってよい。任意選択で、ネットワークスライス選択要求は、VPLMN IDをさらに搬送する。
【０１１５】
ステップ608. HPLMNの第2のSSFデバイスは、ユーザ加入データベースからUEの加入情報を取得する。
【０１１６】
ステップ609. HPLMNの第2のSSFデバイスは、UEの訪問先ネットワークに関する情報に基づきUEに対して第2のネットワークスライスインスタンスを選択し、訪問先ネットワークに関する情報は、第1のネットワークスライスインスタンスのスライスタイプおよび/またはVPLMN IDを含む。第2のSSFデバイスにより、UEの訪問先ネットワークに関する情報に基づきUEに対して第1のネットワークスライスインスタンスを選択するステップは、UEの訪問先ネットワークに関する情報に基づきUEに対して第2のネットワークスライスインスタンスのスライスタイプを決定するステップ、またはUEの訪問先ネットワークに関する情報に基づきUEに対して第2のネットワークスライスインスタンスを決定するステップ、またはUEの訪問先ネットワークに関する情報に基づきUEに対して第2のネットワークスライスインスタンスおよび第2のネットワークスライスインスタンスにおけるネットワーク機能を決定するステップを含む。第2のネットワークスライスインスタンスにおけるネットワーク機能は、第2のセッション管理SM機能を含む。
【０１１７】
ステップ610. HPLMNの第2のSSFデバイスは、第4のサービス要求メッセージをHPLMNの第2のSM機能に送信し、第4のサービス要求メッセージは、第1のサービスを要求し、第1のサービスに対するセッション接続を確立することを第2のSM機能に命令するために使用される。第4のサービス要求メッセージは、少なくともUEの識別子、VPLMN ID、および第1のネットワークスライスインスタンスのIDおよび/または第1のネットワークスライスインスタンスにおける第1のSM機能の識別子を含み、UEの識別子は、UEの一時識別子であってよい。
【０１１８】
ステップ611. HPLMNの第2のSM機能は、ホームネットワークのユーザプレーン確立を完了し、ホームネットワークのユーザプレーン機能に転送されるメッセージは、第1のネットワークスライスインスタンスにおけるユーザプレーン機能の識別子を含む。任意選択で、ホームネットワークのユーザプレーン機能に転送されるメッセージは、VPLMNの第1のネットワークスライスインスタンスのIDまたは第1のネットワークスライスインスタンスに対応する第1のSM機能の識別子をさらに含む。
【０１１９】
ステップ612. HPLMNの第2のSM機能は、第1のサービス応答メッセージをHPLMNの第2のSSFデバイスに送信し、第1のサービス応答メッセージは、第2のネットワークスライスインスタンスのユーザプレーン機能の識別子を搬送する。
【０１２０】
ステップ613. HPLMNの第2のSSFデバイスは、スライス選択応答メッセージをVPLMNの第1のSMに送信し、スライス選択応答メッセージは、第2のSSFデバイスによってUEに対してHPLMNにおいて選択された第2のネットワークスライスインスタンスに関する情報を含み、第2のネットワークスライスインスタンスに関する情報は、第2のネットワークスライスインスタンスにおける第2のSM機能をアドレス指定することを第1のネットワークスライスインスタンスにおける第1のSM機能に命令するために使用される。第2のネットワークスライスインスタンスに関する情報は、第2のネットワークスライスインスタンスにおけるユーザプレーン機能の識別子を含む。第2のネットワークスライスインスタンスにおけるユーザプレーン機能の識別子は、ユーザプレーン機能のIPアドレスであってよい。任意選択で、第2のネットワークスライスインスタンスに関する情報は、第2のネットワークスライスインスタンスのスライスタイプおよび/または第2のネットワークスライスインスタンスのIDおよび/または第2のネットワークスライスインスタンスの第2のSM機能の識別子をさらに含み、第2のSM機能の識別子は、第2のSM機能のIPアドレスであってよい。
【０１２１】
ステップ614. VPLMNの第1のSM機能は、訪問先ユーザプレーン確立を完了することをトリガーし、ホームネットワークのユーザプレーン機能に転送されるメッセージは、第2のネットワークスライスインスタンスにおけるユーザプレーン機能の識別子を含む。任意選択で、ホームネットワークのユーザプレーン機能に転送されるメッセージは、HPLMNの第2のネットワークスライスインスタンスのIDまたは第2のネットワークスライスインスタンスに対応する第2のSM機能の識別子をさらに含む。
【０１２２】
ステップ615. VPLMNの第1のSM機能は、第2のサービス要求応答メッセージをVPLMNの第1のMM機能に返し、VPLMNの第1のMM機能は、ANを使用することによってサービス要求応答メッセージをUEに転送する。
【０１２３】
任意選択で、ステップ606の後かつステップ607の前に、方法は下記をさらに含んでよい。
【０１２４】
ステップ606'. VPLMNの第1のSM機能は、訪問先ユーザプレーン確立を完了することをトリガーすることを選択し、ユーザプレーン機能に転送されるメッセージは、確立されるべきセッション接続のQoS要求条件を含む。このステップが存在するならば、ステップ614において、VPLMNの第1のSM機能はユーザプレーンを更新する。
【０１２５】
実施形態4: VPLMNが、第1のSMを使用することによってネットワークスライス選択要求をHPLMNの第2のSSFデバイスに送信するとき、VPLMNとHPLMNの間の相互作用の別のプロセスが図7に表わされている。
【０１２６】
ステップ701から706は、上記のステップ601から606と同じである。
【０１２７】
ステップ707. VPLMNの第1のSM機能は、ネットワークスライス選択要求をHPLMNの第2のSSFデバイスに送信し、ネットワークスライス選択要求は、第1のネットワークスライスインスタンスのスライスタイプ、UEによって要求されたservice type(またはAPN)、およびUEの識別子のIMSIを搬送し、UEの識別子は、UEのIMSIであってよい。任意選択で、ネットワークスライス選択要求は、VPLMN IDをさらに搬送する。任意選択で、ネットワークスライス選択要求は、第1のネットワークスライスインスタンスのIDおよび/または第1のネットワークスライスインスタンスにおける第1のSM機能の識別子をさらに搬送する。第1のネットワークスライスインスタンスのIDおよび/または第1のネットワークスライスインスタンスにおける第1のSM機能の識別子は、第1のSM機能をアドレス指定し、第1のSM機能と相互作用してセッション接続を確立することを第2のネットワークスライスインスタンスにおける第2のSM機能に命令するために使用される。第1のSM機能の識別子は、第1のSM機能のIPアドレスであってよい。UEの識別子は、UEのIMSIであってよい。任意選択で、ネットワークスライス選択要求は、VPLMN IDをさらに搬送する。
【０１２８】
ステップ708. HPLMNの第2のSSFデバイスは、ユーザ加入データベースからUEの加入情報を取得する。
【０１２９】
ステップ709. HPLMNの第2のSSFデバイスは、UEの訪問先ネットワークに関する情報に基づきUEに対して第2のネットワークスライスインスタンスを選択し、訪問先ネットワークに関する情報は、第1のネットワークスライスインスタンスのスライスタイプおよび/またはVPLMN IDを含む。第2のSSFデバイスにより、UEの訪問先ネットワークに関する情報に基づきUEに対して第1のネットワークスライスインスタンスを選択するステップは、UEの訪問先ネットワークに関する情報に基づきUEに対して第2のネットワークスライスインスタンスのスライスタイプを決定するステップ、またはUEの訪問先ネットワークに関する情報に基づきUEに対して第2のネットワークスライスインスタンスを決定するステップ、またはUEの訪問先ネットワークに関する情報に基づきUEに対して第2のネットワークスライスインスタンスおよび第2のネットワークスライスインスタンスにおけるネットワーク機能を決定するステップを含む。第2のネットワークスライスインスタンスにおけるネットワーク機能は、第2のセッション管理SM機能を含む。
【０１３０】
ステップ710. HPLMNの第2のSSFデバイスは、第4のサービス要求メッセージをHPLMNの第2のSM機能に送信し、第4のサービス要求メッセージは、第1のサービスを要求し、第1のサービスに対するセッション接続を確立することを第2のSM機能に命令するために使用される。第4のサービス要求メッセージは、少なくともUEの識別子、VPLMN ID、および第1のネットワークスライスインスタンスのIDおよび/または第1のネットワークスライスインスタンスにおける第1のSM機能の識別子を含み、UEの識別子は、UEの一時識別子であってよい。
【０１３１】
ステップ711. HPLMNの第2のSM機能は、VPLMNの第1のネットワークスライスインスタンスのスライスタイプまたは第1のネットワークスライスインスタンスのIDまたは第1のネットワークスライスインスタンスに対応する第1のSM機能の識別子に基づきVPLMNの対応する第1のSM機能をアドレス指定し、セッション確立要求を第1のSM機能に送信し、第1のSM機能と相互作用してセッション確立プロセスを完了する。セッション確立要求は、スライス選択応答メッセージを含む。任意選択で、対応する第1のSM機能は、第2のSM機能に基づくか、VPLMN IDおよびVPLMNの第1のネットワークスライスインスタンスのスライスタイプに基づくか、VPLMN IDおよびVPLMNの第1のネットワークスライスインスタンスのID情報に基づくか、またはVPLMN IDおよび第1のネットワークスライスインスタンスに対応する第1のSMの識別子に基づきアドレス指定されてよい。
【０１３２】
ステップ712. VPLMNの第1のSM機能は、サービス要求応答メッセージをVPLMNの第1のMM機能に返し、VPLMNの第1のMM機能は、ANを使用することによってサービス要求応答メッセージをUEに転送する。
【０１３３】
同じ発明の思想に基づき、本発明の一実施形態は、ネットワークスライスインスタンス選択装置を提供する。図8に表わされたように、装置は、
UEによって送信された第1のサービス要求メッセージを受信するように構成された第1の受信ユニット81と、第1の受信ユニットによって受信された第1のサービス要求メッセージに従ってユーザ機器UEのローミング情報を取得し、UEのローミング情報に基づきUEに対してVPLMNにおいて第1のネットワークスライスインスタンスを選択するように構成された第1の処理ユニット82と、を含む。
【０１３４】
任意選択で、装置は、第1の送信ユニット83をさらに含む。第1の送信ユニット83は、ネットワークスライス選択要求をHPLMNの第2のSSFデバイスに送信するように構成される。第1の受信ユニット81は、第2のSSFデバイスによって送信されたスライス選択応答メッセージを受信するようにさらに構成される。ネットワークスライス選択要求は、UEに対してHPLMNにおいて第2のネットワークスライスインスタンスを選択することをHPLMNの第2のSSFデバイスに要求するために使用され、スライス選択応答メッセージは、第2のSSFデバイスによってUEに対してHPLMNにおいて選択された第2のネットワークスライスインスタンスに関する情報を含み、第2のネットワークスライスインスタンスに関する情報は、第2のSM機能をアドレス指定し、第2のSM機能と相互作用してセッション接続を確立することを第1のネットワークスライスインスタンスにおける第1のSM機能に命令するために使用される。
【０１３５】
本発明のこの実施形態において、第1の受信ユニット81、第1の処理ユニット82、および第1の送信ユニット83は、VPLMNの第1のSSFデバイスに属す。第1のSSFデバイスは、別個のデバイスとして配置されてよく、または別の機能と一緒に同じデバイス内に配置されてよい。
【０１３６】
第1のSSFデバイスは、UEに対してVPLMNにおいて第1のネットワークスライスインスタンスを選択し、第2のSSFデバイスは、UEに対してHPLMNにおいて第2のネットワークスライスインスタンスを選択し、第1のネットワークスライスインスタンスおよび第2のネットワークスライスインスタンスはUEに対してサービスを共同で提供する。
【０１３７】
任意選択で、UEによって送信された第1のサービス要求メッセージを受信する前に、第1の受信ユニット81は、UEのアタッチ要求を受信する。第1の処理ユニット82は、UEの国際移動体加入者識別に基づきUEのHPLMNのユーザ加入データベースからUEの加入情報を問い合わせ、加入情報、アタッチ要求内で搬送される情報、およびHPLMN IDもしくはUEがローミング加入者であることを示す指示情報に基づき、UEによって要求される移動性管理MM機能を決定する。第1の送信ユニットは、アタッチ要求メッセージをMM機能に送信する。
【０１３８】
任意選択で、UEのローミング情報は、UEがローミング加入者であることを示す指示情報、および/またはUEのホーム公衆陸上移動体ネットワーク識別子HPLMN IDを含む。
【０１３９】
任意選択で、第1の受信ユニット81が第1のサービス要求メッセージを受信した後に、第1の処理ユニット82は、UEのローミング情報に基づきUEに対してVPLMNにおいて第1のネットワークスライスインスタンスのスライスタイプを決定する。
【０１４０】
任意選択で、第1の受信ユニット81が第1のサービス要求メッセージを受信した後に、第1の処理ユニット82は、UEのローミング情報に基づきUEに対してVPLMNにおいて第1のネットワークスライスインスタンスを決定する。
【０１４１】
任意選択で、第1の受信ユニット81が第1のサービス要求メッセージを受信した後に、第1の処理ユニット82は、UEのローミング情報に基づきUEに対してVPLMNにおいて第1のネットワークスライスインスタンスおよび第1のネットワークスライスインスタンスにおけるネットワーク機能を決定する。
【０１４２】
本発明のこの実施形態において、第1のネットワークスライスインスタンスは、第1のネットワークスライスインスタンスにおけるネットワーク機能と指定された対応関係にある。
【０１４３】
任意選択で、第1のネットワークスライスインスタンスにおけるネットワーク機能は、移動性管理MM機能および/または第1のセッション管理SM機能を含む。
【０１４４】
任意選択で、ネットワークスライス選択要求は、第1のネットワークスライスインスタンスのスライスタイプを含む。
【０１４５】
任意選択で、ネットワークスライス選択要求は、訪問先公衆陸上移動体ネットワーク識別子VPLMN IDをさらに含む。
【０１４６】
任意選択で、第2のネットワークスライスインスタンスに関する情報は、第2のネットワークスライスインスタンスのスライスタイプおよび/または第2のネットワークスライスインスタンスのIDおよび/または第2のネットワークスライスインスタンスの第2のSM機能の識別子を含む。
【０１４７】
本発明の一実施形態は、ネットワークスライス選択装置を提供する。図9に表わされたように、装置は、ネットワークスライス選択要求を受信するように構成された第2の受信ユニット91と、第2の受信ユニット91がネットワークスライス選択要求を受信した後に、UEの訪問先ネットワークに関する情報に基づきUEに対してHPLMNにおいて第2のネットワークスライスインスタンスを選択するように構成された第2の処理ユニット92と、スライス選択応答メッセージを送信するように構成された第2の送信ユニット93であって、スライス選択応答メッセージは、第2のSSFデバイスによってUEに対してHPLMNにおいて選択された第2のネットワークスライスインスタンスに関する情報を含む、第2の送信ユニット93と、を含む。
【０１４８】
任意選択で、第2の受信ユニット91、第2の処理ユニット92、および第2の送信ユニット93は、HPLMNの第2のSSFデバイスに属す。
【０１４９】
任意選択で、第2の受信ユニット91によって受信されるネットワークスライス選択要求は、VPLMNの第1のSSFデバイスによって送信される。
【０１５０】
任意選択で、第2の受信ユニット91によって受信されるネットワークスライス選択要求は、VPLMNの第1のネットワークスライスインスタンスにおいて第1のSM機能によって送信される。
【０１５１】
任意選択で、第2の送信ユニット93は、スライス選択応答メッセージをVPLMNの第1のSSFデバイスに送信する。
【０１５２】
任意選択で、第2の送信ユニット93は、スライス選択応答メッセージをVPLMNの第1のSMに送信する。
【０１５３】
任意選択で、第2の受信ユニット91がネットワークスライス選択要求を受信した後に、第2の処理ユニット92は、ユーザ機器UEの訪問先ネットワークに関する情報に基づきUEに対してHPLMNにおいて第2のネットワークスライスインスタンスのスライスタイプを決定する。
【０１５４】
任意選択で、第2の受信ユニット91がネットワークスライス選択要求を受信した後に、第2の処理ユニット92は、ユーザ機器UEの訪問先ネットワークに関する情報に基づきUEに対してHPLMNにおいて第2のネットワークスライスインスタンスを決定する。
【０１５５】
任意選択で、第2の受信ユニット91がネットワークスライス選択要求を受信した後に、第2の処理ユニット92は、ユーザ機器UEの訪問先ネットワークに関する情報に基づきUEに対してHPLMNにおいて第2のネットワークスライスインスタンスおよび第2のネットワークスライスインスタンスにおけるネットワーク機能を決定する。
【０１５６】
任意選択で、訪問先ネットワークに関する情報は、第1のネットワークスライスインスタンスのスライスタイプおよび/または訪問先公衆陸上移動体ネットワーク識別子VPLMN IDを含む。
【０１５７】
任意選択で、第2のネットワークスライスインスタンスにおけるネットワーク機能は、第2のセッション管理SM機能を含む。
【０１５８】
任意選択で、第2のネットワークスライスインスタンスに関する情報は、第2のネットワークスライスインスタンスのスライスタイプおよび/または第2のネットワークスライスインスタンスのIDおよび/または第2のネットワークスライスインスタンスの第2のSM機能の識別子を含み、第2のネットワークスライスインスタンスに関する情報は、第2のネットワークスライスインスタンスにおける第2のSM機能をアドレス指定し、第2のSM機能と相互作用してセッション接続を確立することを第1のネットワークスライスインスタンスにおける第1のSM機能に命令するために使用される。
【０１５９】
本発明の一実施形態は、ネットワークスライスインスタンス選択装置を提供する。図10に表わされたように、装置は、第2のサービス要求メッセージを受信するように構成された第3の受信ユニット101と、第3の受信ユニット101が第2のサービス要求メッセージを受信した後に、ネットワークスライス選択要求をHPLMNの第2のSSFデバイスに送信するように構成された第3の送信ユニット102と、を含む。次いで、第3の受信ユニット101は、第2のSSFデバイスによって送信されたスライス選択応答メッセージを受信する。第2のサービス要求メッセージは、第1のサービスを要求し、第1のサービスに対するセッション接続を確立することを第1のSM機能に命令するために使用され、ネットワークスライス選択要求は、ユーザ機器UEに対してHPLMNにおいて第2のネットワークスライスインスタンスを選択することをHPLMNの第2のSSFデバイスに命令するために使用され、スライス選択応答メッセージは、第2のSSFデバイスによってHPLMNにおいて選択された第2のネットワークスライスインスタンスに関する情報を含む。
【０１６０】
本発明のこの実施形態において、第3の受信ユニット101および第3の送信ユニット102は、VPLMNの第1のSM機能に属す。第1のSM機能は、別個のデバイスとして配置されてよく、または別の機能と一緒に1つのデバイス内に配置されてよい。
【０１６１】
任意選択で、ネットワークスライス選択要求は、第1のネットワークスライスインスタンスのスライスタイプを含む。
【０１６２】
任意選択で、ネットワークスライス選択要求は、VPLMN IDをさらに含む。
【０１６３】
任意選択で、ネットワークスライス選択要求は、第1のネットワークスライスインスタンスのIDおよび/または第1のネットワークスライスインスタンスにおける第1のSM機能の識別子をさらに含み、第1のネットワークスライスインスタンスのIDおよび/または第1のネットワークスライスインスタンスにおける第1のSM機能の識別子は、第1のSM機能をアドレス指定し、第1のSM機能と相互作用してセッション接続を確立することを第2のネットワークスライスインスタンスにおける第2のSM機能に命令するために使用される。
【０１６４】
この技術分野の当業者は、本発明の実施形態が方法、システム、またはコンピュータプログラム製品として提供され得ることを理解すべきである。したがって、本発明は、ハードウェアのみの実施形態、ソフトウェアのみの実施形態、またはソフトウェアとハードウェアの組み合わせによる実施形態の形式を使用してよい。さらに、本発明は、コンピュータ使用可能プログラムコードを含む1つまたは複数のコンピュータ使用可能記憶媒体(限定しないが、ディスクメモリ、CD-ROM、光メモリ、および同様のものを含む)において実現されるコンピュータプログラム製品の形式を使用してよい。
【０１６５】
本発明は、本発明の実施形態による方法、デバイス(システム)、およびコンピュータプログラム製品のフローチャートおよび/またはブロック図を参照して説明されている。フローチャートおよび/またはブロック図内の各プロセスおよび/または各ブロック、ならびにフローチャートおよび/またはブロック図内のプロセスおよび/またはブロックの組み合わせを実現するためにコンピュータプログラム命令が使用され得ることが理解されるべきである。これらのコンピュータプログラム命令は、マシンを生成するために汎用コンピュータ、専用コンピュータ、組み込みプロセッサ、または任意の他のプログラム可能データ処理デバイスのプロセッサに対して提供されてよく、それによって、コンピュータまたは任意の他のプログラム可能データ処理デバイスのプロセッサによって実行される命令が、フローチャート内の1つまたは複数のプロセスにおける、および/またはブロック図内の1つまたは複数のブロックにおける特定の機能を実現するための装置を生成する。
【０１６６】
これらのコンピュータプログラム命令は、コンピュータまたは任意の他のプログラム可能データ処理デバイスに特定の方式で動作することを命令することができるコンピュータ可読メモリ内に記憶されてよく、それによって、コンピュータ可読メモリ内に記憶された命令は、命令装置を含む人工物を生成する。命令装置は、フローチャート内の1つまたは複数のプロセスにおける、および/またはブロック図内の1つまたは複数のブロックにおける特定の機能を実現する。
【０１６７】
これらのコンピュータプログラム命令は、コンピュータまたは別のプログラム可能データ処理デバイス上にロードされてよく、それによって、コンピュータまたは別のプログラム可能デバイス上で一連の動作およびステップが実行され、それにより、コンピュータで実現される処理を生成する。したがって、コンピュータまたは別のプログラム可能デバイス上で実行される命令は、フローチャート内の1つまたは複数のプロセスにおける、および/またはブロック図内の1つまたは複数のブロックにおける特定の機能を実現するためのステップを提供する。
【０１６８】
本発明のいくつかの好ましい実施形態が説明されたが、この技術分野の当業者は、いったん彼らが基本的な発明の概念を知ると、これらの実施形態に変更および修正を行うことができる。したがって、以下の請求項は、好ましい実施形態ならびに本発明の範囲内にあるすべての変更および修正をカバーすると解釈されることを意図されている。
【０１６９】
明らかに、この技術分野の当業者は、本発明の精神および範囲から逸脱することなく、本発明に様々な修正および変形を行うことができる。本発明は、以下の請求項およびそれらの等価な技術によって定義された保護の範囲内にある限り、これらの修正および変形をカバーすることを意図されている。
【符号の説明】
【０１７０】
81  第1の受信ユニット
82  第1の処理ユニット
83  第1の送信ユニット
91  第2の受信ユニット
92  第2の処理ユニット
93  第2の送信ユニット
101  第3の受信ユニット
102  第3の送信ユニット
【図１】
2019526977.tif 000003
【図２】
2019526977.tif 000004
【図３】
2019526977.tif 000005
【図４】
2019526977.tif 000006
【図５】
2019526977.tif 000007
【図６】
2019526977.tif 000008
【図７】
2019526977.tif 000009
【図８】
2019526977.tif 000010
【図９】
2019526977.tif 000011
【図１０】
2019526977.tif 000012
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
ネットワークスライス選択方法であって、
訪問先公衆陸上移動体ネットワーク(VPLMN)の第1のスライス選択機能(SSF)デバイスにより、第1のサービス要求メッセージを受信するステップと、
前記第1のSSFデバイスにより、前記第1のサービス要求メッセージに従ってユーザ機器(UE)のローミング情報を取得するステップと、
前記第1のSSFデバイスにより、前記UEの前記ローミング情報に基づき前記UEに対して前記VPLMNにおいて第1のネットワークスライスインスタンスを選択するステップと、
を含むネットワークスライス選択方法。
【請求項２】
前記UEの前記ローミング情報は、前記UEのホーム公衆陸上移動体ネットワーク識別子(HPLMN ID)を含む請求項1に記載の方法。
【請求項３】
前記第1のSSFデバイスにより、前記UEの前記ローミング情報に基づき前記UEに対して前記VPLMNにおいて第1のネットワークスライスインスタンスを選択する前記ステップは、
前記第1のSSFデバイスにより、前記UEの前記ローミング情報に基づき前記UEに対して前記VPLMNにおいて前記第1のネットワークスライスインスタンスのスライスタイプを決定するステップを含む請求項1または2に記載の方法。
【請求項４】
前記第1のSSFデバイスにより、前記UEの前記ローミング情報に基づき前記UEに対して前記VPLMNにおいて第1のネットワークスライスインスタンスを選択する前記ステップは、
前記第1のSSFデバイスにより、前記UEの前記ローミング情報に基づき前記UEに対して前記VPLMNにおいて前記第1のネットワークスライスインスタンスおよび前記第1のネットワークスライスインスタンスにおけるネットワーク機能を決定するステップ
を含む請求項1または2に記載の方法。
【請求項５】
前記第1のネットワークスライスインスタンスにおける前記ネットワーク機能は、
移動性管理MM機能を含む請求項4に記載の方法。
【請求項６】
前記第1のSSFデバイスにより、前記UEの前記ローミング情報に基づき前記UEに対して前記VPLMNにおいて第1のネットワークスライスインスタンスを選択する前記ステップの後に、前記方法は、
前記第1のSSFデバイスにより、ネットワークスライス選択要求をホーム公衆陸上移動体ネットワーク(HPLMN)の第2のSSFデバイスに送信するステップであって、前記ネットワークスライス選択要求は、前記UEに対して前記HPLMNにおいて第2のネットワークスライスインスタンスを選択することを前記HPLMNの前記第2のSSFデバイスに要求するために使用される、ステップと、
前記第1のSSFデバイスにより、前記第2のSSFデバイスからスライス選択応答メッセージを受信するステップであって、前記スライス選択応答メッセージは、前記第2のネットワークスライスインスタンスに関する情報を含み、前記第2のネットワークスライスインスタンスに関する前記情報は、第2のセッション管理(SM)機能をアドレス指定し、前記第2のSM機能と相互作用してセッション接続を確立することを前記第1のネットワークスライスインスタンスにおける第1のSM機能に命令するために使用される、ステップと、
をさらに含む請求項1、2、または5のいずれか一項に記載の方法。
【請求項７】
前記ネットワークスライス選択要求は、前記第1のネットワークスライスインスタンスのスライスタイプを含む請求項6に記載の方法。
【請求項８】
前記ネットワークスライス選択要求は、訪問先公衆陸上移動体ネットワーク識別子(VPLMN ID)をさらに含む請求項6または7に記載の方法。
【請求項９】
前記第2のネットワークスライスインスタンスに関する前記情報は、
前記第2のネットワークスライスインスタンスのスライスタイプおよび/または前記第2のネットワークスライスインスタンスのIDおよび/または前記第2のネットワークスライスインスタンスの前記第2のSM機能の識別子を含む請求項6に記載の方法。
【請求項１０】
ネットワークスライス選択方法であって、
ホーム公衆陸上移動体ネットワーク(HPLMN)の第2のスライス選択機能(SSF)デバイスにより、ネットワークスライス選択要求を受信するステップであって、前記ネットワークスライス選択要求は、ユーザ機器(UE)の訪問先ネットワークに関する情報を搬送する、ステップと、
前記ネットワークスライス選択要求を受信した後に、前記第2のSSFデバイスにより、前記UEの前記訪問先ネットワークに関する前記情報に基づき前記UEに対して前記HPLMNにおいて第2のネットワークスライスインスタンスを選択するステップと、
前記第2のSSFデバイスにより、スライス選択応答メッセージを送信するステップであって、前記スライス選択応答メッセージは、前記第2のネットワークスライスインスタンスに関する情報を含む、ステップと、
を含むネットワークスライス選択方法。
【請求項１１】
前記訪問先ネットワークに関する前記情報は、
第1のネットワークスライスインスタンスのスライスタイプおよび/または訪問先公衆陸上移動体ネットワーク識別子(VPLMN ID)を含む請求項10に記載の方法。
【請求項１２】
前記第2のSSFデバイスにより、前記UEの前記訪問先ネットワークに関する前記情報に基づき前記UEに対して前記HPLMNにおいて第2のネットワークスライスインスタンスを選択する前記ステップは、
前記第2のSSFデバイスにより、前記UEのローミング情報に基づき前記HPLMNにおいて前記UEに対して前記第2のネットワークスライスインスタンスのスライスタイプを決定するステップを含む請求項10または11に記載の方法。
【請求項１３】
前記第2のSSFデバイスにより、前記UEの前記訪問先ネットワークに関する前記情報に基づき前記UEに対して前記HPLMNにおいて第2のネットワークスライスインスタンスを選択する前記ステップは、
前記第2のSSFデバイスにより、前記UEの前記訪問先ネットワークに関する前記情報に基づき前記UEに対して前記HPLMNにおいて前記第2のネットワークスライスインスタンスを決定するステップ、または
前記第2のSSFデバイスにより、前記UEの前記訪問先ネットワークに関する前記情報に基づき前記HPLMNにおいて前記UEに対して前記第2のネットワークスライスインスタンスおよび前記第2のネットワークスライスインスタンスにおけるネットワーク機能を決定するステップ
を含む請求項10または11に記載の方法。
【請求項１４】
前記第2のネットワークスライスインスタンスにおける前記ネットワーク機能は、
第2のセッション管理(SM)機能を含む請求項13に記載の方法。
【請求項１５】
HPLMNの第2のSSFデバイスにより、ネットワークスライス選択要求を受信する前記ステップは、
前記HPLMNの前記第2のSSFデバイスにより、前記ネットワークスライス選択要求を訪問先公衆陸上移動体ネットワーク(VPLMN)の第1のSSFデバイスから受信するステップを含む請求項10に記載の方法。
【請求項１６】
HPLMNの第2のSSFデバイスにより、ネットワークスライス選択要求を受信する前記ステップは、
前記HPLMNの前記第2のSSFデバイスにより、前記ネットワークスライス選択要求を第1のネットワークスライスインスタンスの第1のSM機能から受信するステップを含む請求項10に記載の方法。
【請求項１７】
ネットワークスライス選択方法であって、
訪問先公衆陸上移動体ネットワーク(VPLMN)の第1のセッション管理(SM)機能により、第2のサービス要求メッセージを受信するステップであって、前記第2のサービス要求メッセージは、第1のサービスを要求し、前記第1のサービスに対するセッション接続を確立することを前記第1のSM機能に命令するために使用される、ステップと、
前記第1のSM機能により、ネットワークスライス選択要求をホーム公衆陸上移動体ネットワーク(HPLMN)の第2のスライス選択機能(SSF)デバイスに送信するステップであって、前記ネットワークスライス選択要求は、ユーザ機器(UE)に対して前記HPLMNにおいて第2のネットワークスライスインスタンスを選択することを前記第2のSSFデバイスに命令するために使用される、ステップと、
前記第1のSM機能により、前記第2のSSFデバイスからスライス選択応答メッセージを受信するステップであって、前記スライス選択応答メッセージは、前記第2のネットワークスライスインスタンスに関する情報を含む、ステップと、
を含むネットワークスライス選択方法。
【請求項１８】
前記ネットワークスライス選択要求は、第1のネットワークスライスインスタンスのIDおよび/または前記第1のネットワークスライスインスタンスにおける前記第1のSM機能の識別子を含み、前記第1のネットワークスライスインスタンスの前記IDおよび/または前記第1のネットワークスライスインスタンスにおける前記第1のSM機能の前記識別子は、前記第1のSM機能をアドレス指定し、前記第1のSM機能と相互作用してセッション接続を確立することを前記第2のネットワークスライスインスタンスにおける第2のSM機能に命令するために使用される請求項17に記載の方法。
【請求項１９】
ネットワークスライス選択装置であって、
第1のサービス要求メッセージを受信するように構成された第1の受信ユニットと、
前記第1のサービス要求メッセージに従ってユーザ機器(UE)のローミング情報を取得し、前記UEの前記ローミング情報に基づき前記UEに対して訪問先公衆陸上移動体ネットワーク(VPLMN)において第1のネットワークスライスインスタンスを選択するように構成された第1の処理ユニットと、
を含むネットワークスライス選択装置。
【請求項２０】
前記第1の処理ユニットは、
前記UEの前記ローミング情報に基づき前記UEに対して前記VPLMNにおいて前記第1のネットワークスライスインスタンスのスライスタイプを決定するように構成された請求項19に記載の装置。
【請求項２１】
前記第1の処理ユニットは、
前記UEの前記ローミング情報に基づき前記UEに対して前記VPLMNにおいて前記第1のネットワークスライスインスタンスおよび前記第1のネットワークスライスインスタンスにおけるネットワーク機能を決定する
ように構成された請求項19に記載の装置。
【請求項２２】
前記装置は、
ネットワークスライス選択要求をホーム公衆陸上移動体ネットワーク(HPLMN)の第2のスライス選択機能(SSF)デバイスに送信するように構成された第1の送信ユニットであって、前記ネットワークスライス選択要求は、前記UEに対して前記HPLMNにおいて第2のネットワークスライスインスタンスを選択することを前記HPLMNの前記第2のSSFデバイスに要求するために使用される、第1の送信ユニットをさらに含み、
前記第1の受信ユニットは、前記第2のSSFデバイスからスライス選択応答メッセージを受信するようにさらに構成され、前記スライス選択応答メッセージは、前記第2のネットワークスライスインスタンスに関する情報を含み、前記第2のネットワークスライスインスタンスに関する前記情報は、第2のセッション管理(SM)機能をアドレス指定し、前記第2のSM機能と相互作用してセッション接続を確立することを前記第1のネットワークスライスインスタンスにおける第1のSM機能に命令するために使用される請求項19に記載の装置。
【請求項２３】
ネットワークスライス選択装置であって、
ネットワークスライス選択要求を受信するように構成された第2の受信ユニットであって、前記ネットワークスライス選択要求は、ユーザ機器(UE)の訪問先ネットワークに関する情報を搬送する、第2の受信ユニットと、
前記第2の受信ユニットが前記ネットワークスライス選択要求を受信した後に、前記UEの前記訪問先ネットワークに関する前記情報に基づき前記UEに対してホーム公衆陸上移動体ネットワーク(HPLMN)において第2のネットワークスライスインスタンスを選択するように構成された第2の処理ユニットと、
スライス選択応答メッセージを送信するように構成された第2の送信ユニットであって、前記スライス選択応答メッセージは、前記第2のネットワークスライスインスタンスに関する情報を含む、第2の送信ユニットと、
を含むネットワークスライス選択装置。
【請求項２４】
前記第2の処理ユニットは、
前記第2の受信ユニットにより、前記UEの前記訪問先ネットワークに関する前記情報に基づき前記UEに対して前記HPLMNにおいて前記第2のネットワークスライスインスタンスのスライスタイプを決定するように構成された請求項23に記載の装置。
【請求項２５】
前記第2の処理ユニットは、
前記第2の受信ユニットにより、前記UEの前記訪問先ネットワークに関する前記情報に基づき前記UEに対して前記HPLMNにおいて前記第2のネットワークスライスインスタンスを決定するか、または
前記UEの前記訪問先ネットワークに関する前記情報に基づき前記HPLMNにおいて前記UEに対して前記第2のネットワークスライスインスタンスおよび前記第2のネットワークスライスインスタンスにおけるネットワーク機能を決定する
ように構成された請求項23に記載の装置。
【請求項２６】
前記第2の受信ユニットは、
訪問先公衆陸上移動体ネットワーク(VPLMN)の第1のスライス選択機能(SSF)デバイスから前記ネットワークスライス選択要求を受信するように構成された請求項23に記載の装置。
【請求項２７】
前記第2の受信ユニットは、
前記ネットワークスライス選択要求を第1のネットワークスライスインスタンスの第1のセッション管理(SM)機能から受信するようにさらに構成された請求項23に記載の装置。
【請求項２８】
ネットワークスライスインスタンス選択装置であって、
第2のサービス要求メッセージを受信するように構成された第3の受信ユニットであって、前記第2のサービス要求メッセージは、第1のサービスを要求し、前記第1のサービスに対するセッション接続を確立することを第1のセッション管理(SM)機能に命令するために使用される、第3の受信ユニットと、
ネットワークスライス選択要求をホーム公衆陸上移動体ネットワーク(HPLMN)の第2のスライス選択機能(SSF)デバイスに送信するように構成された第3の送信ユニットであって、前記ネットワークスライス選択要求は、ユーザ機器(UE)に対して前記HPLMNにおいて第2のネットワークスライスインスタンスを選択することを前記第2のSSFデバイスに命令するために使用される、第3の送信ユニットと、を含み、
前記第3の受信ユニットは、前記第2のSSFデバイスからスライス選択応答メッセージを受信するようにさらに構成され、前記スライス選択応答メッセージは、前記第2のネットワークスライスインスタンスに関する情報を含むネットワークスライスインスタンス選択装置。
【請求項２９】
コンピュータによって実行されるとき、請求項1から18のいずれか一項に記載の方法のステップを前記コンピュータに実行させる命令を含むコンピュータ可読媒体。
【国際調査報告】
2019526977.tif 000013
2019526977.tif 000014
2019526977.tif 000015
2019526977.tif 000016